(57)【要約】チャネル状態情報参照信号（ＣＳＩ−ＲＳ）を復号する方法が提示される。第１のセルによるＣＳＩ−ＲＳの伝送のために割り付けられるリソース要素（ＲＥ）構成の指示は、第２のセルから受信される。方法は、第１のセルから受信される第１のＣＳＩ−ＲＳを復号するためにＲＥ構成の指示を使用するステップ、および第３のセルから受信されるデータチャネル伝送内の１つ以上のＲＥをミュートするためにＲＥ構成の指示を使用するステップのうちの少なくとも１つを含む。第１のセル、第２のセル、および第３のセルは、ＣＳＩ−ＲＳグループ内で関連付けられ得る。場合によっては、第１のセル、第２のセル、および第３のセルのうちの少なくとも２つは、相互に干渉するセルである。ＲＥ構成の指示は、増分値を有する複数の論理指数を含み、複数の論理指数は、ＣＳＩ−ＲＳを伝送するために使用されるＲＥを識別する。
2013519337.tif 000002
【特許請求の範囲】
【請求項１】
チャネル状態情報参照信号（ＣＳＩ−ＲＳ）を復号する方法であって、
第１のセルによるＣＳＩ−ＲＳの伝送に対して割り付けられるリソース要素（ＲＥ）構成の指示を受信するステップであって、前記指示は、第２のセルから受信される、ステップと、
前記ＲＥ構成の指示を使用し、前記第１のセルから受信される第１のＣＳＩ−ＲＳを復号するステップ、および、前記ＲＥ構成の指示を使用し、第３のセルから受信されるデータチャネル伝送内の１つ以上のＲＥをミュートするステップのうちの少なくとも１つのステップと
を含み、
少なくとも、前記第１のセル、前記第２のセル、および前記第３のセルが、ＣＳＩ−ＲＳグループ内で関連付けられているか、前記第１のセル、前記第２のセル、および前記第３のセルのうちの少なくとも２つが、相互に干渉するセルである、
方法。
【請求項２】
前記ＲＥ構成の指示は、増分値を有する複数の論理指数を含み、前記複数の論理指数は、ＣＳＩ−ＲＳを伝送するために使用されるＲＥを識別する、請求項１に記載の方法。
【請求項３】
前記ＲＥ構成の指示は、ＣＳＩ−ＲＳの構築において使用されるホッピングシーケンスを含む、請求項１に記載の方法。
【請求項４】
前記ホッピングシーケンスは、前記第１のセルに関連付けられた識別（ＩＤ）によって少なくとも部分的に決定される、請求項３に記載の方法。
【請求項５】
前記ＲＥ構成の指示は、無線リソース制御（ＲＲＣ）信号伝達内に含まれる、請求項１に記載の方法。
【請求項６】
前記第１のセルは、隣接セルであり、前記第２のセルは、サービングセルである、請求項１に記載の方法。
【請求項７】
前記第３のセルおよび前記第２のセルは、同じセルである、請求項１に記載の方法。
【請求項８】
チャネル状態情報参照信号（ＣＳＩ−ＲＳ）をユーザ機器（ＵＥ）に伝送する方法であって、
第１の組の干渉隣接セルからの干渉を体験している少なくとも１つのＵＥのための第１のリソースブロック（ＲＢ）構成を提供するステップと、
第２の組の干渉隣接セルからの干渉を体験している少なくとも１つのＵＥのための第２のＲＢ構成を提供するステップと、
第１のＵＥから測定レポートを受信するステップであって、前記測定レポートは、前記第１のＵＥに対する一組の干渉隣接セルを識別する、ステップと、
前記第１のＵＥに対する前記一組の干渉隣接セルが、前記第１の組の干渉隣接セル内に含まれている場合、前記第１のＲＢ構成を前記第１のＵＥに伝送するステップと、
前記第１のＵＥに対する前記一組の干渉隣接セルが、前記第２の組の干渉隣接セル内に含まれている場合、前記第２のＲＢ構成を前記第１のＵＥに伝送するステップと
を含む、方法。
【請求項９】
前記第１の組の干渉隣接セルおよび前記第２の組の干渉隣接セルのうちの少なくとも１つは空である、請求項８に記載の方法。
【請求項１０】
前記第１の組の干渉セルおよび前記第２の組の干渉セルは、相互排他的である、請求項８に記載の方法。
【請求項１１】
前記第１のＲＢ構成および前記第２のＲＢ構成のうちの少なくとも１つは、ＣＳＩ−ＲＳ伝送のための出力増大レベルを識別する、請求項８に記載の方法。
【請求項１２】
前記第１のＲＢ構成および前記第２のＲＢ構成のうちの少なくとも１つは、一群のＲＢの識別を含む、請求項８に記載の方法。
【請求項１３】
前記第１のＲＢ構成および前記第２のＲＢ構成のうちの少なくとも１つは、リソース要素（ＲＥ）構成の指示を含む、請求項８に記載の方法。
【請求項１４】
前記第１のＲＢ構成および前記第２のＲＢ構成のうちの少なくとも１つは、少なくとも１つの干渉隣接セルを識別する、請求項８に記載の方法。
【請求項１５】
チャネル状態情報参照信号（ＣＳＩ−ＲＳ）を受信する方法であって、
測定レポートを第１のセルに伝送するステップであって、前記測定レポートは、ユーザ機器（ＵＥ）に対する一組の干渉隣接セルを識別する、ステップと、
前記第１のセルからリソースブロック（ＲＢ）構成を受信するステップと、
干渉セルから受信されるＣＳＩ−ＲＳを復号すること、および、第２の干渉セルから受信されるデータチャネル伝送内の少なくとも１つのリソース要素（ＲＥ）をミュートすることのうちの少なくとも１つを行うために、前記ＲＢ構成を使用するステップと
を含む、方法。
【請求項１６】
前記ＲＢ構成は、リソース要素（ＲＥ）構成の指示を含む、請求項１５に記載の方法。
【請求項１７】
前記ＲＢ構成は、一群のＲＢの識別を含む、請求項１５に記載の方法。
【請求項１８】
前記ＲＢ構成は、少なくとも１つの干渉隣接セルを識別する、請求項１５に記載の方法。
【請求項１９】
前記ＲＢ構成は、リソース要素（ＲＥ）構成の指示を含む、請求項１５に記載の方法。
【請求項２０】
ユーザ機器（ＵＥ）であって、
プロセッサを備え、前記プロセッサは、
第１のセルによるＣＳＩ−ＲＳの伝送に対して割り付けられるリソース要素（ＲＥ）構成の指示を受信することであって、前記指示は、第２のセルから受信される、ことと、
前記ＲＥ構成の指示を使用し、前記第１のセルから受信される第１のＣＳＩ−ＲＳを復号すること、および、前記ＲＥ構成の指示を使用し、第３のセルから受信されるデータチャネル伝送内の１つ以上のＲＥをミュートすることのうちの少なくとも１つと
を行うように構成され、
少なくとも、前記第１のセル、前記第２のセル、および前記第３のセルが、ＣＳＩ−ＲＳグループ内で関連付けられているか、前記第１のセル、前記第２のセル、および前記第３のセルのうちの少なくとも２つが、相互に干渉するセルである、
ユーザ機器（ＵＥ）。
【請求項２１】
前記ＲＥ構成の指示は、増分値を有する複数の論理指数を含み、前記複数の論理指数は、ＣＳＩ−ＲＳを伝送するために使用されるＲＥを識別する、請求項２０に記載のＵＥ。
【請求項２２】
前記ＲＥ構成の指示は、ＣＳＩ−ＲＳの構築において使用されるホッピングシーケンスを含む、請求項２０に記載のＵＥ。
【請求項２３】
前記ホッピングシーケンスは、前記第１のセルに関連付けられた識別（ＩＤ）によって少なくとも部分的に決定される、請求項２２に記載のＵＥ。
【請求項２４】
前記ＲＥ構成の指示は、無線リソース制御（ＲＲＣ）信号伝達内に含まれる、請求項２０に記載のＵＥ。
【請求項２５】
基地局であって、
プロセッサを備え、前記プロセッサは、
第１の組の干渉隣接セルからの干渉を体験している少なくとも１つのＵＥのための第１のリソースブロック（ＲＢ）構成を識別することと、
第２の組の干渉隣接セルからの干渉を体験している少なくとも１つのＵＥのための第２のＲＢ構成を識別することと、
第１のＵＥから測定レポートを受信することであって、前記測定レポートは、前記第１のＵＥに対する一組の干渉隣接セルを識別する、ことと、
前記第１のＵＥに対する前記一組の干渉隣接セルが、前記第１の組の干渉隣接セル内に含まれている場合、前記第１のＲＢ構成を前記第１のＵＥに伝送することと、
前記第１のＵＥに対する前記一組の干渉隣接セルが、前記第２の組の干渉隣接セル内に含まれている場合、前記第２のＲＢ構成を前記第１のＵＥに伝送することと
を行うように構成されている、基地局。
【請求項２６】
前記第１のＲＢ構成および前記第２のＲＢ構成のうちの少なくとも１つは、一群のＲＢの識別を含む、請求項２５に記載の基地局。
【請求項２７】
前記第１のＲＢ構成および前記第２のＲＢ構成のうちの少なくとも１つは、リソース要素（ＲＥ）構成の指示を含む、請求項２５に記載の基地局。
【請求項２８】
前記第１のＲＢ構成および前記第２のＲＢ構成のうちの少なくとも１つは、少なくとも１つの干渉隣接セルを識別する、請求項２５に記載の基地局。
【請求項２９】
チャネル状態情報参照信号（ＣＳＩ−ＲＳ）を復号する方法であって、
第１のセルによるＣＳＩ−ＲＳの伝送に対して割り付けられるリソース要素（ＲＥ）構成の指示を受信するステップであって、前記指示は、第２のセルから受信される、ステップと、
前記ＲＥ構成の指示を使用し、前記第１のセルから受信される第１のＣＳＩ−ＲＳを復号するステップ、および、前記ＲＥ構成の指示を使用し、第３のセルから受信されるデータチャネル伝送内の１つ以上のＲＥをミュートするステップのうちの少なくとも１つのステップと
を含み、
少なくとも、前記第１のセル、前記第２のセル、および前記第３のセルが、ＣＳＩ−ＲＳグループ内で関連付けられているか、前記第１のセル、前記第２のセル、および前記第３のセルのうちの少なくとも２つが、相互に干渉するセルである、
方法。
【請求項３０】
前記第１のセル、前記第２のセル、および前記第３のセルのうちの少なくとも１つは、マイクロセルであり、前記第１のセル、前記第２のセル、および前記第３のセルのうちの少なくとも１つは、マクロセルである、請求項２９に記載の方法。
【発明の詳細な説明】
【技術分野】
【０００１】
（関連出願の引用）
本願は、米国特許出願第１２／７０５，４９１号（２０１０年２月１２日出願、名称「ＲＥＦＥＲＥＮＣＥ  ＳＩＧＮＡＬ  ＦＯＲ  Ａ  ＣＯＯＤＩＮＡＴＥＤ  ＭＵＬＴＩ−ＰＯＩＮＴ  ＮＥＴＷＯＲＫ  ＩＭＰＬＥＭＥＮＴＡＴＩＯＮ」）を基礎とする優先権を主張、該出願を参照により本明細書に引用する。
【０００２】
本発明は、概して、モバイル通信システム内のデータ伝送に関し、より具体的には、協調的マルチポイントネットワーク実装および異種ネットワークをサポートするためのチャネル状態情報（ＣＳＩ）参照信号（ＲＳ）に関する。
【背景技術】
【０００３】
本明細書で使用される場合、用語「ユーザ機器」および「ＵＥ」は、電気通信能力を有する、携帯電話、携帯情報端末、ハンドヘルドまたはラップトップコンピュータ、および同様のデバイスまたは他のユーザエージェント（「ＵＡ」）等の無線デバイスを指すことができる。ＵＥは、モバイルまたは無線デバイスを指し得る。用語「ＵＥ」はまた、デスクトップコンピュータ、セットトップボックス、またはネットワークノード等の、同様の能力を有するが、概して、運搬可能ではないデバイスを指し得る。
【０００４】
従来の無線電気通信システムでは、基地局内の伝送機器は、セルとして知られる地理的領域の全体を通して、信号を伝送する。技術の発展に伴って、より高度な機器が導入され、以前には可能ではなかったようなサービスを提供可能になっている。この高度な機器は、例えば、従来の無線電気通信システム内の同等機器より高度に発展した基地局または他のシステムおよびデバイスよりもむしろ、発展型ユニバーサル地上無線アクセスネットワーク（Ｅ−ＵＴＲＡＮ）ノードＢ（ｅＮＢ）を含む場合がある。そのような高度または次世代機器は、本明細書では、長期発展型機器（ＬＴＥ）と称され、そのような機器を使用するパケットベースのネットワークは、発展型パケットシステム（ＥＰＳ）と称され得る。ＬＴＥシステム／機器への付加的な改良は、最終的には、ＬＴＥ発展型（ＬＴＥ−Ａ）システムをもたらす。本明細書で使用される場合、用語「基地局」または「アクセスデバイス」は、電気通信システム内の他の構成要素へのアクセスをＵＥに提供することができる、従来の基地局またはＬＴＥあるいはＬＥＴ−Ａアクセスデバイス（ｅＮＢを含む）等の任意の構成要素を指す。
【０００５】
Ｅ−ＵＴＲＡＮ等のモバイル通信システムでは、基地局は、１つ以上のＵＥへの無線アクセスを提供する。基地局は、ダウンリンクトラフィックデータパケット伝送を動的にスケジュールし、基地局と通信する全ＵＥ間でアップリンクトラフィックデータパケット伝送リソースを割り付けるためのパケットスケジューラを備える。スケジューラの機能は、とりわけ、ＵＥ間の利用可能な無線インターフェース能力を分割するステップと、各ＵＥのパケットデータ送信のために使用される転送チャネルを決定するステップと、パケット割付およびシステム負荷を監視するステップとを含む。スケジューラは、物理ダウンリンク共有チャネル（ＰＤＳＣＨ）および物理アップリンク共有チャネル（ＰＵＳＣＨ）データ伝送のためのリソースを動的に割り付け、スケジューリングチャネルを通して、ＵＥにスケジューリング情報を送信する。
【０００６】
概して、基地局によってサービスを受けるＵＥに対して高い信号対妨害および雑音比（ＳＩＮＲ）を有する信号を有する、高データ転送速度範囲を提供することが望ましい。典型的には、基地局に物理的に近いＵＥのみが、非常に高いデータ転送速度で動作することができる。また、満足できるＳＩＮＲで広い地理的領域に渡って高データ転送速度範囲を提供するために、概して、多数の基地局が必要とされる。そのようなシステムを実装する費用が高額となり得るため、広域の高データ転送速度サービスを提供するための代替的技術について研究が行われている。
【０００７】
協調的マルチポイント（ＣｏＭＰ）伝送および受信が、ＬＴＥ−Ａネットワーク等の無線通信ネットワーク内の伝送データレートおよび／または信号品質を増大させるために使用され得る。ＣｏＭＰを使用して、近隣基地局は、特に、セルエッジにおけるユーザのために、ユーザスループットまたは信号品質を向上させるように協調する。ＣｏＭＰは、ｅＮＢ、および／または中継ノード（ＲＮ）、および／または他の種類のネットワークノードおよび／またはセル等の基地局の組み合わせを使用して、実装され得る。
【０００８】
図１は、ＣｏＭＰ伝送および受信構成において動作する２つのｅＮＢを有する、無線通信ネットワークの説明図である。同様の説明図を、ｅＮＢ、ＲＮ、および／またはセルの組み合わせに適用することができる。図１に図示されるように、ネットワークサービスエリア１０４内で、ｅＮＢ１０６および１０８は、通信信号をＵＥ１１０に伝送するように構成される。ネットワークサービスエリア１０４内では、任意の協働スキームがｅＮＢ１０６および１０８に使用され得る。例えば、いくつかのＣｏＭＰスキームでは、ｅＮＢ１０６およびｅＮＢ１０８は、同時に同じ信号をＵＥ１１０に伝送するように連携し得る。そのようなシステムでは、基地局によって伝送された信号は、無線上で組み合わさり（すなわち、重畳し）、より強い信号を提供し、したがって、伝送の成功の機会を増大させる。他のＣｏＭＰスキームでは、ｅＮＢ１０６およびｅＮＢ１０８は、例えば、ＵＥ１１０に伝達される異なるデータを含む、異なる信号をＵＥ１１０に伝送する。異なるｅＮＢを通してデータの異なる部分を伝送することによって、ＵＥ１１０へのスループットが増加させられ得る。ＣｏＭＰの使用は、ＵＥ１１０におけるチャネル状態、利用可能なリソース、サービスの質（ＱｏＳ）要件等を含む、多くの要因に依存する。そのようなものとして、いくつかのネットワーク実装では、所与のノード／セルまたはノード／セルの組み合わせにおいて、利用可能なＵＥの一部のみが、ＣｏＭＰ伝送でサービスを提供され得る。例えば、図１では、ＵＥ１１２は、ｅＮＢ１０８によってのみサービスを提供される。
【０００９】
ＬＴＥ−Ａでは、ＣｏＭＰは、セルエッジＵＥに対するスループットならびにセルの平均スループットを向上させるために使用することができる。これらの改良を実現するために、それによってＣｏＭＰ伝送が実装され得る２つの主な機構がある。第１に、ＣｏＭＰ伝送は、データが、利用可能な伝送ポイントのうちの１つ（例えば、図１の利用可能なｅＮＢのうちの１つ、あるいは利用可能なノードまたはセルのうちの１つ）から単一のＵＥに伝送され、スケジューリング決定が、例えば、一組の協調セルにおいて生成される干渉を制御するように協調させられる、協調スケジューリングを提供し得る。第２に、ＣｏＭＰ伝送は、例えば、（コヒーレントまたは非コヒーレントに）受信信号品質を向上させるため、および／または他のＵＥに対する干渉を積極的に取り消すために、データが同時に複数の伝送ポイントから単一のＵＥに伝送される共同処理を提供し得る。
【００１０】
協調スケジューリングの場合、データがサービングセルのみによって伝送されるが、隣接セル間で協調してスケジューリング決定が行われる。共同処理ＣｏＭＰ伝送の場合、複数の基地局が同時にデータを同じユーザに伝送する。次いで、ＵＥは、性能向上を達成するように、複数のノードからの伝送を共同で処理する。
【００１１】
ＣｏＭＰ実装では、サービングセルは、物理ダウンリンク制御チャネル（ＰＤＣＣＨ）割当を伝送するセル（すなわち、単一のセル）であり得る。これは、Ｒｅｌ−８のサービングセルと類似している。ＣｏＭＰでは、動的セル選択は、最初にＣｏＭＰ協働セット内の１つのポイントからのＰＤＳＣＨ伝送を伴い、協調スケジューリング／ビーム形成（ＣＳ／ＣＢ）では、データは、サービングセルにおいてのみ利用可能である（そのポイントからのデータ転送）が、ユーザスケジューリング／ビーム形成決定は、ＣｏＭＰ協働セットに対応するセル間で協調して行われる。
【００１２】
ＣｏＭＰを実装する場合、一連のＣｏＭＰセルセットが規定され得る。ＣｏＭＰ協働セットでは、一組の（地理的に分離された）ポイントがＵＥへのＰＤＳＣＨ伝送に直接または間接的に参加する。協働セットは、ＵＥには透明であり得る。ＣｏＭＰ伝送ポイントは、ＰＤＳＣＨをＵＥに積極的に伝送するポイントまたは一組のポイントである。ＣｏＭＰ伝送ポイントは、ＣｏＭＰ協働セットの一部である。共同伝送については、ＣｏＭＰ伝送ポイントは、ＣｏＭＰ協働セットの中のポイントであるが、動的セル選択については、単一のポイントが各サブフレームにおける伝送ポイントである。伝送ポイントは、ＣｏＭＰ協働セット内で動的に変化することができる。ＣｏＭＰ測定セットは、ＵＥへのリンクに関係するチャネル状態／統計情報（ＣＳＩ）が報告される、一組のセルである。ＣｏＭＰ測定セットは、ＣｏＭＰ協働セットと同じであり得る。無線リソース測定（ＲＲＭ）測定セットは、Ｒｅｌ−８で定義され得る、ＲＲＭ測定をサポートするセットであり、したがって、ＣｏＭＰ特定ではない。協調スケジューリング／ビーム形成について、ＣｏＭＰ伝送ポイントは、「サービングセル」に対応し得る。
【００１３】
ＬＴＥシステムでは、データが、リソースブロック（ＲＢｓ）を介してアクセスデバイスからＵＥに伝送される。図２を参照すると、当技術分野で公知であるように、１２の周波数列および１４の時間行で配置された１６８個のリソース要素（ＲＥ）（例示的要素５２を参照）から成る、例示的なリソースブロック５０が図示されている。したがって、各要素は、異なる時間／周波数の組み合わせに対応する。各時間行の中の要素の組み合わせは、直交周波数分割多重（ＯＦＤＭ）記号と呼ばれる。図示した実施例では、最初の３つのＯＦＤＭ記号（場合によっては、第１の２つ、第１の４つ等であり得る）がＰＤＣＣＨ５６のために留保され、図２では、集合的にグレーのＲＥとして示されている。種々の種類のデータを各ＲＥにおいて伝達することができる。
【００１４】
ＬＴＥシステムは、アクセスデバイスまたは基地局とＵＥとの間の通信を促進するために、種々の種類の参照信号を採用する。参照信号は、いくつかの異なる通信モードのうちのどれがＵＥと通信するために使用されるべきか、チャネル推定、コヒーレント復調、チャネル品質測定、信号強度測定等を決定することを含む、いくつかの目的で使用することができる。参照信号は、アクセスデバイスおよびＵＥの両方に知られているデータに基づいて生成され、また、パイロット、プレアンブル、トレーニング信号、またはサウンディング信号と呼ばれ得る。例示的な参照信号は、セル内で基地局によってＵＥに送信され、チャネル推定およびチャネル品質測定に使用される、セル特定参照信号（ＣＲＳ）、ダウンリンクの復調に使用されるセル内で基地局によって特定のＵＥに送信される、ＵＥ特定または専用参照信号（ＤＲＳ）、基地局によってチャネル推定およびチャネル品質測定に使用される、ＵＥによって送信されるサウンディング参照信号（ＳＲＳ）、および基地局によってＵＥからのアップリンク伝送のチャネル推定に使用される、ＵＥによって送信される復調参照信号（ＤＭ−ＲＳ）を含む。
【００１５】
ＬＴＥシステムでは、ＣＲＳおよびＤＲＳは、ＲＢ  ＲＥの中で、基地局によって伝送される。この目的を達成するために、ポート０から３について、それぞれ、垂直、水平、左から下方へ右、および左から上方へ右のハッチングがある例示的なＣＲＳ（そのうちの３つが５２と標識されている）と、そのうちの３つが５４と標識されている、ＰＤＣＣＨ５６の３列の右側の黒いＲＥの中の例示的なＤＲＳとを示す図２を参照されたい。参照信号は、アクセスデバイスと通信するＵＥが、チャネル特性を決定すること、および不良な特性を補おうとすることを可能にする。ＣＲＳは、ＵＥ非依存であり（すなわち、特定のＵＥに対して特定的に符号化されない）、少なくとも場合によっては、全てのＲＢに含まれる。受信したＣＲＳを既知の参照信号（すなわち、既知のデータ）と比較することによって、ＵＥは、チャネル特性（例えば、チャネル品質情報等）を決定することができる。既知のデータと受信した信号との間の差異は、信号減衰、経路損失差等を示し得る。
【００１６】
ＵＥは、チャネル特性を基地局および基地局に折り返し報告し、次いで、基地局は、その出力（すなわち、後続のＲＥ）を修正してチャネル特性を補う。どのように信号出力が修正されるかを示すために、基地局は、ＵＥ特定ＤＲＳを各ＵＥに伝送する。ここで再度、ＤＲＳデータはＵＥにおいて知られており、したがって、受信したＤＲＳを分析することによって、ＵＥは、どのようにアクセスデバイス出力が修正されたかを決定し、よって、後続のＲＥで受信されたデータを復調するために必要とされる情報を取得することができる。図２では、例示的なＣＲＳ参照信号は、ハッチングによって示され、ＤＲＳ信号は、黒いＲＥによって示され、その間にトラフィックデータが伝送される非参照信号要素は空白（すなわち、白）である。
【００１７】
図２を再び参照すると、衝突を回避するために、ＬＴＥシステムＤＲＳ５４は、概して、ＣＲＳによって占有されるものとは別のＯＦＤＭ記号に割り付けられる。さらに、ＤＲＳ５４は、概して、ＰＤＣＣＨ５６から離れて割り付けられる。リリース８  ＬＴＥデバイス（以降では「Ｒｅｌ−８デバイス」）では、例えば、アンテナポート５のＤＲＳは、図２に示されるようにＰＤＳＣＨ復調のために特定され得る。場合によっては、アンテナポート０−３上のＣＲＳ５２が、システム帯域幅の中の全てのＲＢ上に分配される一方で、アンテナポート５上のＤＲＳ５４は、例えば、対応するＵＥに割り当てられたＲＢにおいてのみ割り付けられ得る。ＵＥが２つ以上の連続ＲＢを割り当てられると、ＤＲＳ５４の割付は単純に、１つのＲＢ５０から次へ繰り返され得る。
【００１８】
２つの新しい種類の参照信号が、復調のためのチャネル推定、チャネル状態情報（ＣＳＩ）測定およびチャネル品質指標（ＣＱＩ）測定のためのチャネル推定の目的でＬＴＥ−Ａで定義されている。第１の種類のＲＳは、ＵＥに割り当てられたトラフィックチャネル、すなわち、物理ダウンリンク共有チャネル（ＰＤＳＣＨ）の復調に使用される、ＵＥ特定ＲＳまたはＵＥ−ＲＳである。ＵＥ−ＲＳはまた、復調ＲＳ（ＤＭ−ＲＳ）とも呼ばれる。第２の種類のＲＳは、ＣＳＩ測定およびＣＱＩ測定に使用されるセル特定ＲＳである。ＬＴＥ−Ａでは、ＬＴＥ  Ｒｅｌ−８共通参照信号（ＣＲＳ）が、レガシーＲｅｌ−８  ＵＥをサポートするように、単一周波数ネットワーク上の非マルチキャスト／放送（ＭＢＳＦＮ）サブフレーム内で保持され得る。ＬＴＥ−Ａ  ＵＥをサポートするためだけにサブフレームとして使用され得る、ＭＢＳＦＮサブフレームでは、ＣＲＳは、ＰＤＣＣＨ領域内のみで保持され得る。
【００１９】
次いで、いくつかのネットワーク実装では、予想ＣＳＩ−ＲＳオーバーヘッドは、アンテナポートあたり約１／８４０＝０．１２％である（８個のアンテナポート＝０．９６％）。例えば、ＣＳＩ−ＲＳは、アンテナポートあたり１０ｍｓ毎に１個の記号という時間密度：１／１４０、アンテナポートあたり６つの副搬送波毎に１つの搬送波という周波数密度：１／６で実装され得る。ＣＳＩ−ＲＳ信号の周期性は、整数のタイムフレームによって調整され得る。ＤＭ−ＲＳについて、放送速度は、ランク１伝送−ＲＢあたり１２個のＲＥ（Ｒｅｌ−８と同じオーバーヘッド）、ランク２伝送−確認されるＲＢあたり１２個のＲＥ、およびランク３−８伝送−ＲＢあたり最大２４個のＲＥ（合計）である。概して、アンテナポートあたり同じＲＥが各ＤＭ−ＲＳランクについて伝送される。
【００２０】
現在のＣＳＩ−ＲＳ設計に関連付けられる、いくつかの困難がある。第１に、ＵＥにおいてＣｏＭＰマルチセルＣＳＩ測定をサポートするために、ＵＥは、十分なレベルの精度で隣接セルによって伝送されるＣＳＩ−ＲＳを検出するように要求される。しかしながら、隣接セルから受信される信号強度は、サービングセルから受信される信号強度および他の隣接セルから受信される信号強度の合計と比較して、比較的低くなり得るため、隣接セルＣＳＩ−ＲＳの受信したＳＩＮＲは、極めて低くなり得る。
【００２１】
また、既存のＣＳＩ−ＲＳ設計は、マクロセルのみが展開される、同種ネットワークシナリオに焦点を当てる。しかしながら、将来のネットワークは、小セル（低出力ノード、例えば、フェムトセル、中継セル、ピコセル等とも呼ばれる）と重ねられたマクロセルを組み込む、異種ネットワークを使用して実装され得る。その場合、予期される再利用クラスタサイズは、現在特定されている６〜８クラスタサイズよりもはるかに大きくなる必要がある。マクロｅＮＢおよび小セルｅＮＢが、非常に異なる伝送電力を有する（マクロｅＮＢの伝送電力は４６ｄＢｍ（１０ＭＨｚ帯域幅について）であるが、ピコｅＮＢ、フェムトｅＮＢ、および中継ノード（ＲＮ）の伝送電力は、１０ＭＨｚ帯域幅について、それぞれ３０ｄＢｍ、２０ｄＢｍ、および３０ｄＢｍである）ため、マクロｅＮＢのより大きい伝送電力は、マクロｅＮＢ範囲内に位置する低出力ノードに取り付けられたＵＥによって体験される、重度のＤＬ干渉につながる。この重度の外部セル干渉は、制御チャネル（例えば、ＰＤＣＣＨ）、データチャネル（例えば、ＰＤＳＣＨ）、およびＣＳＩ−ＲＳ検出を含むＲＳ検出の性能にとって不利となる。
【００２２】
最後に、より高い再利用クラスタサイズおよびマルチアンテナ構成を伴うＣｏＭＰをサポートするために、ＣＳＩ−ＲＳアンテナポートの数が重要となる。オーバーヘッドを限定するために、ＣＳＩ−ＲＳのより大きい周期性が必要とされ得る。ＣＳＩ−ＲＳ伝送間のより大きい間隔は、ＣｏＭＰ動作にあることもないこともあるより高速のモバイルに対するＣＳＩ−ＲＳの検出性能に悪影響を及ぼす場合がある。
【発明の概要】
【課題を解決するための手段】
【００２３】
本発明は、概して、モバイル通信システム内のデータ伝送に関し、より具体的には、協調的マルチポイント（ＣｏＭＰ）ネットワーク実装および異種ネットワークをサポートするためのチャネル状態情報（ＣＳＩ）参照信号（ＲＳ）に関する。
【００２４】
いくつかの実装は、ユーザ機器（ＵＥ）を使用してチャネル状態情報参照信号（ＣＳＩ−ＲＳ）を復号する方法を含む。方法は、第１のセルによるＣＳＩ−ＲＳの伝送のために割り付けられるリソース要素（ＲＥ）構成の指示を受信するステップを含む。指示は、第２のセルから受信される。方法は、第１のセルから受信される第１のＣＳＩ−ＲＳを復号するために、ＲＥ構成の指示を使用するステップ、および第３のセルから受信されるデータチャネル伝送内で１つ以上のＲＥをミュートするために、ＲＥ構成の指示を使用するステップのうちの少なくとも１つを含む。第１のセル、第２のセル、および第３のセルは、ＣＳＩ−ＲＳグループ内で関連付けられ得る。第１のセル、第２のセル、および第３のセルのうちの少なくとも２つは、相互に干渉するセルであり得る。
【００２５】
他の実装は、チャネル状態情報参照信号（ＣＳＩ−ＲＳ）をユーザ機器（ＵＥ）に伝送する方法を含む。方法は、第１の組の干渉隣接セルからの干渉を体験している少なくとも１つのＵＥのための第１のリソースブロック（ＲＢ）構成を提供するステップと、第２の組の干渉隣接セルからの干渉を体験している少なくとも１つのＵＥのための第２のＲＢ構成を提供するステップと、第１のＵＥから測定レポートを受信するステップとを含む。測定レポートは、第１のＵＥに対する一組の干渉隣接セルを識別する。方法は、第１のＵＥに対する一組の干渉隣接セルが、第１の組の干渉隣接セル内に含まれている場合、第１のＲＢ構成を第１のＵＥに伝送するステップと、第１のＵＥに対する一組の干渉隣接セルが、第２の組の干渉隣接セル内に含まれている場合、第２のＲＢ構成を第１のＵＥに伝送するステップとを含む。
【００２６】
他の実装は、チャネル状態情報参照信号（ＣＳＩ−ＲＳ）を受信する方法を含む。方法は、測定レポートを第１のセルに伝送するステップを含む。測定レポートは、ＵＥに対する一組の干渉隣接セルを識別する。方法は、第１のセルからリソースブロック（ＲＢ）構成を受信するステップと、干渉セルから受信されるＣＳＩ−ＲＳを復号すること、および第２の干渉セルから受信されるデータチャネル伝送内の少なくとも１つのリソース要素（ＲＥ）をミュートすることのうちの少なくとも１つを行うために、ＲＢ構成を使用するステップとを含む。
【００２７】
他の実装は、第１のセルによってＣＳＩ−ＲＳの伝送のために割り付けられるリソース要素（ＲＥ）構成の指示を受信するように構成されるプロセッサを備える、ユーザ機器（ＵＥ）を含む。指示は、第２のセルから受信される。プロセッサは、第１のセルから受信される第１のＣＳＩ−ＲＳを復号するために、ＲＥ構成の指示を使用すること、および第３のセルから受信されるデータチャネル伝送内の１つ以上のＲＥをミュートするために、ＲＥ構成の指示を使用することのうちの１つを行うように構成される。第１のセル、第２のセル、および第３のセルは、ＣＳＩ−ＲＳグループ内で関連付けられ得る。第１のセル、第２のセル、および第３のセルのうちの少なくとも２つは、相互に干渉するセルであり得る。
【００２８】
他の実装は、第１の組の干渉隣接セルからの干渉を体験している少なくとも１つのＵＥのための第１のリソースブロック（ＲＢ）構成を識別し、第２の組の干渉隣接セルからの干渉を体験している少なくとも１つのＵＥのための第２のＲＢ構成を識別し、第１のＵＥから測定レポートを受信するように構成されるプロセッサを備える、基地局を含む。測定レポートは、第１のＵＥに対する一組の干渉隣接セルを識別する。プロセッサは、第１のＵＥに対する一組の干渉隣接セルが、第１の組の干渉隣接セル内に含まれている場合、第１のＲＢ構成を第１のＵＥに伝送し、第１のＵＥに対する一組の干渉隣接セルが、第２の組の干渉隣接セル内に含まれている場合、第２のＲＢ構成を第１のＵＥに伝送するように構成される。
【００２９】
次いで、上述および関連の目的を達成するために、本発明は、以降で完全に説明される特徴を備える。以下の説明および付随の図面は、本発明の詳細なある例証的側面を説明する。しかしながら、これらの側面は、本開示の原理を採用することができる、種々の方法のうちのいくつかを示すにすぎない。本開示の他の側面、利点、および新規特徴は、図面と併せて考慮されると、以下の本開示の発明を実施するための形態から明白となるであろう。
【図面の簡単な説明】
【００３０】
本開示をより完全に理解するために、添付の図面および発明を実施するための形態と併せて理解される、以下の簡単な説明を参照し、類似参照数字は、類似部品を表す。
【図１】図１は、協調的マルチポイント（ＣｏＭＰ）伝送および受信構成において動作する２つのｅＮＢを有する、無線通信ネットワークの説明図である。
【図２】図２は、ＲＢの全体を通して分配されたＣＲＳおよび複数の専用参照信号（ＤＲＳ）の両方を含む、リソースブロック（ＲＢ）を図示する。
【図３】図３は、第１および第２の隣接セルから放送された２つの直交ＣＳＩ−ＲＳ伝送例を示す説明図であり、各ＣＳＩ−ＲＳ伝送は、ＰＤＳＣＨ  ＲＥミューティングを含む。
【図４】図４は、ＣＳＩ−ＲＳ伝送に利用可能なＲＥを有するＲＢの実施例の説明図であり、ＲＥは、いくつかの条件に基づいて選択される。
【図５】図５は、セルの一部がＣＳＩ−ＲＳグループ内で配置されている、多くのセルを示す、  ネットワークマッピング例の説明図である。
【図６】図６は、ＣＳＩ−ＲＳグループ内のＣＳＩ−ＲＳポートに対するＲＢの中の利用可能なＲＥの留保を示す説明図である。
【図７Ａ】図７Ａ〜７Ｃは、異なるＣＳＩ−ＲＳグループに留保された異なる複数組の相互排他的（または直交）ＣＳＩ−ＲＳポートリソースがＴＤＭを使用して提供される、３つのＣＳＩ−ＲＳグループを図示する。
【図７Ｂ】図７Ａ〜７Ｃは、異なるＣＳＩ−ＲＳグループに留保された異なる複数組の相互排他的（または直交）ＣＳＩ−ＲＳポートリソースがＴＤＭを使用して提供される、３つのＣＳＩ−ＲＳグループを図示する。
【図７Ｃ】図７Ａ〜７Ｃは、異なるＣＳＩ−ＲＳグループに留保された異なる複数組の相互排他的（または直交）ＣＳＩ−ＲＳポートリソースがＴＤＭを使用して提供される、３つのＣＳＩ−ＲＳグループを図示する。
【図８】図８は、単一のＲＢ内の異なるＣＳＩ−ＲＳグループに対する相互排他的な複数組のＣＳＩ−ＲＳポートリソースの多重化の説明図である。
【図９Ａ】図９Ａおよび９Ａは、経時的な第１のＣＳＩ−ＲＳグループのＣＳＩ−ＲＳポートリソースマッピングの説明図である。
【図９Ｂ】図９Ａおよび９Ａは、経時的な第１のＣＳＩ−ＲＳグループのＣＳＩ−ＲＳポートリソースマッピングの説明図である。
【図１０Ａ】図１０Ａ〜１０Ｃは、異なるＣＳＩ−ＲＳグループに留保された、異なるまたは相互直交ＣＳＩ−ＲＳポートリソースの説明図であり、８個のＣＳＩ−ＲＳポートリソース（すなわち、１６個のＲＥ）が、３つのサブフレームＸ、Ｙ、およびＺのそれぞれの中の各ＣＳＩ−ＲＳグループに留保される。
【図１０Ｂ】図１０Ａ〜１０Ｃは、異なるＣＳＩ−ＲＳグループに留保された、異なるまたは相互直交ＣＳＩ−ＲＳポートリソースの説明図であり、８個のＣＳＩ−ＲＳポートリソース（すなわち、１６個のＲＥ）が、３つのサブフレームＸ、Ｙ、およびＺのそれぞれの中の各ＣＳＩ−ＲＳグループに留保される。
【図１０Ｃ】図１０Ａ〜１０Ｃは、異なるＣＳＩ−ＲＳグループに留保された、異なるまたは相互直交ＣＳＩ−ＲＳポートリソースの説明図であり、８個のＣＳＩ−ＲＳポートリソース（すなわち、１６個のＲＥ）が、３つのサブフレームＸ、Ｙ、およびＺのそれぞれの中の各ＣＳＩ−ＲＳグループに留保される。
【図１１】図１１は、ＣＳＩ−ＲＳグループに留保されたＣＳＩ−ＲＳポートリソースの順序付け、および論理指数を用いた各ＣＳＩ−ＲＳポートリソースの指標付けの説明図である。
【図１２】図１２は、ＭＢＳＦＮサブフレーム内のＣＳＩ−ＲＳに対するＲＢの中の利用可能なＲＥの説明図である。
【図１３】図１３は、セル内の異なる場所にあるＵＥにとって最も強力な隣接セルを示す、ネットワーク内のＣＳＩ−ＲＳグループ化の説明図である。
【図１４】図１４は、ＰＤＳＣＨ  ＲＥミューティング要件に基づくＲＢの説明図であり、各ＲＢグループ内のＲＢは、連続的または不連続的となり得る。
【図１５】図１５は、マクロセル内に配置されたいくつかの小セル＃１、＃２、および＃３を含む、ネットワーク例の説明図である。
【図１６】図１６は、小セルのうちの１つ以上が重複する、代替的な小セルネットワーク展開の説明図である。
【図１７】図１７は、場合によっては、小セルの範囲が重複する、マクロセル範囲の上に小セルのオーバーレイを含む、ネットワーク実装の説明図である。
【図１８】図１８は、それぞれ１０個のサブフレーム（または１つのフレーム）の周期性を有する、交互配置された通常および補足ＣＳＩ−ＲＳサブフレームの場所の説明図である。
【図１９】図１９は、本開示の種々の実施形態のうちのいくつかに対して動作可能なＵＥを含む、無線通信システムの略図である。
【図２０】図２０は、本開示の種々の実施形態のうちのいくつかに対して動作可能なＵＥのブロック図である。
【図２１】図２１は、本開示の種々の実施形態のうちのいくつかに対して動作可能なＵＥ上に実装され得る、ソフトウェア環境の略図である。
【図２２】図２２は、本開示の種々の実施形態のうちのいくつかに対して好適である、例証的な汎用コンピュータシステムである。
【発明を実施するための形態】
【００３１】
ここで、付随の図面を参照して、本発明の種々の側面を説明し、類似番号は、全体を通して、類似または対応要素を指す。しかしながら、図面およびそれに関連する詳細な説明は、請求された主題を開示される特定の形態に限定することを目的としないことを理解されたい。むしろ、請求された主題の精神および範囲内にある、全ての修正、同等物、および代替案を網羅することが意図される。
【００３２】
本明細書で使用される場合、用語「構成要素」、「システム」、および同等物は、ハードウェア、ハードウェアおよびソフトウェアの組み合わせ、ソフトウェア、または実行中のソフトウェアのいずれかである、コンピュータ関連エンティティを指すことを目的とする。例えば、構成要素は、プロセッサ上で作動するプロセス、プロセッサ、オブジェクト、実行ファイル、実行のスレッド、プログラム、および／またはコンピュータであり得るが、それらに限定されない。例証として、コンピュータ上で作動するアプリケーションおよびコンピュータは両方とも、構成要素となり得る。１つ以上の構成要素は、プロセスおよび／または実行のスレッド内に常駐してもよく、構成要素は、１つのコンピュータ上に局在してもよく、および／または２つ以上のコンピュータ間で分散され得る。
【００３３】
用語「例示的」とは、本明細書では、実施例、事例、または例証としての機能を果たすことを意味するために使用される。「例示的」として本明細書に説明される任意の側面または設計は、必ずしも、他の側面または設計よりも好ましい、あるいは有利であると解釈されるものではない。
【００３４】
さらに、開示された主題は、標準的プログラミングおよび／またはエンジニアリング技術を使用して、ソフトウェア、ファームウェア、ハードウェア、またはそれらの任意の組み合わせを生産し、コンピュータまたはプロセッサベースのデバイスを制御し、本明細書に詳述される側面を実装するように、システム、方法、装置、または製造品として実装され得る。用語「製造品」（または代替として、「コンピュータプログラム製品」）は、本明細書で使用される場合、任意のコンピュータ可読デバイス、搬送波、または媒体からアクセス可能なコンピュータプログラムを包含することを目的としている。例えば、コンピュータ可読媒体は、磁気記憶デバイス（例えば、ハードディスク、フロッピー（登録商標）ディスク、磁気ストリップ・・・）、光ディスク（例えば、コンパクトディスク（ＣＤ）、デジタル多用途ディスク（ＤＶＤ）・・・）、スマートカード、およびフラッシュメモリデバイス（例えば、カード、スティック）を含むことができるが、それらに限定されない。加えて、搬送波は、電子メールを送受信する際、あるいはインターネットまたはローカルエリアネットワーク（ＬＡＮ）等のネットワークにアクセスする際に使用されるもの等の、コンピュータ可読電子データを搬送するために採用できることを理解されたい。当然ながら、当業者であれば、請求された主題の範囲または精神から逸脱することなく、多くの修正が本構成に成され得ることを認識するであろう。
【００３５】
いくつかの放送隣接セルを含むネットワーク実装では、隣接セルのそれぞれによって伝送されるＣＳＩ−ＲＳを受信し、区別することが困難な場合がある。場合によっては、隣接セルからの信号強度は、サービングセルからの信号強度と比べて比較的低い。また、隣接セルからの信号強度は、他の隣接セルおよびサービングセルから受信される信号の合計と比べると、比較的低い。これらの問題に対処するために、本システムおよび方法では、隣接セルのそれぞれは、ＣＳＩ−ＲＳ伝送のための再利用クラスタ内の他の隣接セルによって使用されていないＲＥを使用して、ＣＳＩ−ＲＳを放送するように構成され得る。例えば、第１の隣接セルでは、再利用クラスタ内の隣接セルによって伝送されるＣＳＩ−ＲＳと一致するＰＤＳＣＨ  ＲＥは、ＲＥが相互に干渉しないようにミュートされ得る（例えば、使用されなくてもよい）。これは、隣接セルＣＳＩ−ＲＳ検出およびチャネル推定精度を向上し、ＣｏＭＰ伝送（例えば、共同処理（ＪＰ）、協調ビーム形成（ＣＢ）等）をサポートし得る。
【００３６】
図３は、第１および第２の隣接セルから放送される２つの直交ＣＳＩ−ＲＳ伝送例と、相互および他の隣接セルからのＣＳＩ−ＲＳ伝送との衝突を回避するための第１および第２の隣接セルの中のＰＤＳＣＨ  ＲＥのミューティングとを示す、説明図である。各ＲＢ内のあるＲＥをミュートすることによって、セル＃０およびセル＃１のそれぞれによって放送されるＣＳＩ−ＲＳへの干渉が最小限化される。図３を参照すると、セル＃０およびセル＃１のそれぞれは、２つのＣＳＩ−ＲＳアンテナポートを使用し、各ＣＳＩ−ＲＳポートは、２つのＲＥ上で伝送する（セル＃０およびセル＃１に対する各ＣＳＩ−ＲＳの中の７０および７２と標識された複数対のＲＥを参照）。セルによって伝送されるＣＳＩ−ＲＳ間の干渉を回避するために、ＣＳＩ−ＲＳの直交性は、ＲＢ内のＲＥの時分割多重化（ＴＤＭ）および／または周波数分割多重化（ＦＤＭ）を通して維持される。図３に示されるように、セル＃０に対するＣＳＩ−ＲＳ  ＲＥは、セル＃１に対するＣＳＩ−ＲＳ  ＲＥから１副搬送波分、オフセットされる。さらに、他の隣接セルによって伝送されるＣＳＩ−ＲＳへの干渉を最小限化するように、いくつかのＰＤＳＣＨ  ＲＥがミュートされる。言い換えれば、隣接セルによって伝送されるＣＳＩ−ＲＳ  ＲＥと一致するＰＤＳＣＨ  ＲＥがミュートされ得る。
【００３７】
図３の説明図では、ＲＢ内でＣＳＩ−ＲＳ伝送またはＰＤＳＣＨ  ＲＥミューティングに使用することができる、合計１６個のＲＥがある。したがって、この構成では、最大４個の異なる隣接セルが、図３に示されるＲＢ構成を使用してＣＳＩ−ＲＳを伝送することができ、各セルからのＣＳＩ−ＲＳは、相互に干渉しない（単一のセルのＣＳＩ−ＲＳ  ＲＥのみが、残りのセルによって放送されるミュートされたＲＥと重複するため）。したがって、図示した構成は、ＣＳＩ−ＲＳ再利用クラスタ内で最大４個のセルをサポートする。Ｒｅｌ−８ＵＥ  ＰＤＳＣＨ受信への影響を最小限化するために、ＲＢあたりのミュートまたは間引きされるＲＥの数は、１６、２４、または３２以下であるべきであると推奨され得る。
【００３８】
所与のＣＳＩ−ＲＳ構成について、再利用因数は、相互直交ＣＳＩ−ＲＳを伝送することができる隣接セルの数を示す。ＣＳＩ−ＲＳの直交性は、異なるセルが異なる時間／周波数のトーンまたはＲＥ上でＣＳＩ−ＲＳを伝送することによって達成することができる。各サブフレーム上のＣＳＩ−ＲＳに対する再利用因数は、ＲＢあたりのミュート／間引きされるＲＥの最大許容数、ＲＢあたりのＣＳＩ−ＲＳアンテナポートあたりのＲＥの数、セルあたりのＣＳＩ−ＲＳアンテナポート（または伝送アンテナ）の数に依存し得る。表１は、ＣＳＩ−ＲＳアンテナポートあたりのＲＥの数およびセルあたりのＣＳＩ−ＲＳアンテナポート（または伝送アンテナ）の数の異なる値に起因する、異なる再利用因数を図示する。ＣＳＩ−ＲＳが全サブフレーム内の各セルによって伝送される場合、再利用因数は、場合によっては、同種ネットワークをサポートするのに十分ではなく、全ての場合においては、異種ネットワークをサポートするのに十分ではないことが分かる。
【００３９】
【表１】
2013519337.tif 000003
隣接セルの再利用クラスタは、上記で説明されるように、ＣＳＩ−ＲＳ衝突および干渉をさらに無作為化するＣＳＩ−ＲＳホッピングの可能性を考慮せず、ＲＢあたりのミュート／間引きされるＲＥの最大許容数とＣＳＩ−ＲＳ伝送に使用することができるＲＢあたりのＲＥの利用可能なリソースの数とを区別しない。場合によっては、ＣＳＩ−ＲＳ伝送に使用することができるＲＢあたりのＲＥの利用可能なリソースの数は、ＲＢあたりのミュート／間引きされるＲＥの最大許容数よりもはるかに大きくなり得る。
【００４０】
さらに、上記で説明されるミューティングアプローチは、特定のセル内の非ＣｏＭＰおよびＣｏＭＰネットワーク動作の混合を考慮または補償しない。また、考えられるミューティング、ＴＤＭ、およびＦＤＭアプローチは、小セルノードの高密度展開および異種ネットワークの重層性質をサポートするように広がらない。
【００４１】
経時的なＣＳＩ−ＲＳホッピングは、非ＣｏＭＰネットワーク実装の場合に、隣接セル間のＣＳＩ−ＲＳ衝突を無作為化し得る。図４は、ＣＳＩ−ＲＳ伝送に利用可能なＲＥを有するＲＢの実施例の説明図である。ＲＥは、以下の条件に基づいて選択される：１）ＣＳＩ−ＲＳが、ＰＤＣＣＨ領域、すなわち、２００と標識された最初の３つのＯＦＤＭ記号を間引きすることができない、および２）ＣＳＩ−ＲＳが、Ｒｅｌ−８  ＣＲＳおよびＲｅｌ−９／Ｒｅｌ−１０  ＤＭ−ＲＳを間引きすることができない。ＲＢでは、各ＣＳＩ−ＲＳポートに使用されるＲＥペアが６副搬送波離れていると仮定すると、ＣＳＩ−ＲＳ伝送のために５２個の利用可能なＲＥがある。各ＣＳＩ−ＲＳポートが２つのＲＥを必要とするため、可能なＣＳＩ−ＲＳポートリソースの合計数は２６である。
【００４２】
１つの実装例では、セルは、４つのＣＳＩ−ＲＳポート、したがって、利用可能なＲＥのうちの８つを必要とする。その場合、ＣＳＩ−ＲＳ伝送のための必要ＲＥの典型的な数（すなわち、この実施例で示されるような８個のＣＳＩ−ＲＳ  ＲＥ、またはＲｅｌ−８  ＰＤＳＣＨ性能の過剰な間引きを回避するように１６、２４、３２に限定される）は、ＣＳＩ−ＲＳ伝送のための合計の利用可能なＲＥ未満である（すなわち、この場合は５２）。したがって、利用可能なＲＥへのＣＳＩ−ＲＳポートのマッピングは、経時的にホップし、隣接セルにわたって無作為化することができる。これは、隣接セルにわたってＣＳＩ−ＲＳ衝突の無作為化を提供し、セル間ＣＳＩ−ＲＳ干渉を最小限化する。
【００４３】
しかしながら、異種ネットワークについては、ＣｏＭＰのサポートがなくても、マクロ基地局によって引き起こされる小セルへの重度の干渉の場合、ランダムホッピングは、完全な衝突回避を保証せず、不十分となる場合がある。また、ＣｏＭＰネットワーク実装の場合、説明されたホッピングは、再利用クラスタ内の異なる隣接セルのＣＳＩ−ＲＳが相互に衝突しないことを確実にしない場合がある。
【００４４】
場合によっては、異なるセルによって使用されるＣＳＩ−ＲＳポート（時間／周波数場所）およびホッピングパターンは、セルＩＤに基づいて定義され得る。しかしながら、ＣｏＭＰについては、再利用クラスタ内のセル間のＣＳＩ−ＲＳの完全直交性を維持するために、セルＩＤベースのＣＳＩ−ＲＳポート割付およびホッピングは好適ではない。同様に、異種ネットワークについては、小セルのＣＳＩ−ＲＳを用いたマクロセルによって生成される、ＰＤＳＣＨ伝送およびＣＳＩ−ＲＳ伝送からの重度の干渉を回避するために、マクロセルおよび小セルの両方へのＣＳＩ−ＲＳポート割付は、慎重に計画され、単純にセルＩＤによって無作為化されないことが必要である。
【００４５】
本システムでは、種々のＣＳＩ−ＲＳグループが定義され、各ＣＳＩ−ＲＳグループは、相互に干渉する場合がある隣接ネットワークセルのグループを含む。ＣＳＩ−ＲＳグループのメンバーセルとグループのサイズとは、例えば、ＵＥのＲＳＲＰ／ＲＳＲＱ／ＣＱＩフィードバック、ＵＥの分布、および／または負荷条件等の長期または短期的観察に基づいて、ＲＦを計画すること、あるいはグループ定義をゆっくり適合させること、または動的に適合させることを通して、ネットワークによって半静的に構成され得る。
【００４６】
図５は、セルの一部がＣＳＩ−ＲＳグループ内で配置されている、多くのセルを示す、ネットワークマッピング例の説明図である。図５では、同じ陰影を共有するセルは、同じＣＳＩ−ＲＳグループのメンバーである。例えば、Ａ１−Ａ１２と標識されたセルが、第１のＣＳＩ−ＲＳグループのメンバーである一方で、Ｂ１−Ｂ１２と番号付けされたセルは、第２のグループのメンバーである。この実施例では、グループサイズが１２個のセルである、同種ネットワークが図示されている。
【００４７】
ＣＳＩ−ＲＳグループ内の異なるセルの中の異なるＣＳＩ−ＲＳポートは、相互直交または準直交ＣＳＩ−ＲＳを伝送するように構成され得る。その場合、直交性は、ＣＳＩ−ＲＳリソースのＴＤＭおよび／またはＦＤＭを用いて達成され得る。例えば、同じＲＢ内の異なるＲＥ、あるいはサブフレーム内異なるＲＢの中の異なるＲＥ、および／または異なるサブフレームの中の異なるＲＥは、ＣＳＩ−ＲＳグループ内の異なるセルの中の異なるＣＳＩ−ＲＳポートに使用され、および／または、異なるセル／ＣＳＩ−ＲＳポートによって伝送されるＣＳＩ−ＲＳが、同じ一組のＲＥ上にあるが、異なる直交または準直交シーケンスによって変調される、符号分割多重化（ＣＤＭ）、および／または異なるセル／ＣＳＩ−ＲＳポートによって伝送されるＣＳＩ−ＲＳが、同じ一組のＲＥ上にあるが、チャネル遅延プロファイルよりも大きい遅延によって時間領域中で循環的に推移される、循環シフト多重化（ＣＳＭ）によって、および／またはこれらの技法の組み合わせによって使用され得る。ＣＳＩ−ＲＳ  ＲＥのＴＤＭは、サブフレーム内の異なるＯＦＤＭ記号上のＣＳＩ−ＲＳ  ＲＥを伝送することによって、または異なるサブフレーム上のＣＳＩ−ＲＳ  ＲＥを伝送することによって行うことができる。ＣＳＩ−ＲＳ  ＲＥのＦＤＭは、ＲＢ内で、または異なるＲＢにわたって、異なるＯＦＤＭ副搬送波上でＣＳＩ−ＲＳ  ＲＥを伝送することによって行うことができる。
【００４８】
（時間および／または周波数および／または符号領域および／または循環的に推移された領域中の）固定数（ＮＣＳＩ−ＲＳ）の直交ＣＳＩ−ＲＳポートリソースが、各ＣＳＩ−ＲＳグループに留保され得る。ＮＣＳＩ−ＲＳは、半静的に構成し、時々変更することができる。ＮＣＳＩ−ＲＳは、ＣＳＩ−ＲＳグループに対する必要ＣＳＩ−ＲＳポートリソースの合計以上であり得る。例えば、各セルの中の２つの伝送アンテナの場合、グループサイズが１２であり、セルあたりの必要とされるＣＳＩ−ＲＳポートリソースの数が２である場合、グループに対する必要ＣＳＩ−ＲＳポートリソースの総数は２４である。各セルは、一組のＮＣＳＩ−ＲＳポートリソース内の必要数のＣＳＩ−ＲＳポートリソースが割り付けられる。グループ内の異なるセルに割り付けられるＣＳＩ−ＲＳポートリソースは、変化し得る。１２というグループサイズは実施例にすぎず、典型的なグループサイズは、より小さく、例えば、６であり得る。その場合、各セルが４つの伝送アンテナポートを必要とする場合、グループに対する必要ＣＳＩ−ＲＳポートリソースの総数は２４である。
【００４９】
図６は、ＣＳＩ−ＲＳグループ内のＣＳＩ−ＲＳポートに対するＲＢの中の利用可能なＲＥの留保を示す説明図である。図６に図示されるように、ＣＳＩ−ＲＳグループに留保されるＮＣＳＩ−ＲＳポートリソースは、４８個のＲＥである（６０個のＣＳＩ−ＲＳ伝送のための最大の利用可能なＲＥの中から）。この実施例では、各セルは、ＣＳＩ−ＲＳが伝送され、ＣＳＩ−ＲＳグループサイズが１２である、サブフレームの中の４個のＲＥに対応する２つのＣＳＩ−ＲＳポートを必要とする。合計４８個の利用可能なＲＥが、ＣＳＩ−ＲＳグループ内のセルによってＣＳＩ−ＲＳ伝送のために留保される。例えば、図６に示されるＣＳＩ−ＲＳポートリソース＃１および＃２は、ＣＳＩ−ＲＳグループの中のセルＡ１によって使用され（例えば、図５のセルＡ１−Ａ１２を参照）、図６に示されるＣＳＩ−ＲＳポートリソース＃４および＃５は、ＣＳＩ−ＲＳグループの中のセルＡ２によって使用される（例えば、図５のセルＡ１−Ａ１２を参照）、等である。
【００５０】
上記で提案されるＣＳＩ−ＲＳグループ内のセルに導入される再利用因数に加えて、別のレベルの再利用因数が、隣接ＣＳＩ−ＲＳグループにわたって使用され得る。異なる隣接ＣＳＩ−ＲＳグループは、異なる相互排他的な／直交する複数組のＮＣＳＩ−ＲＳ直交ＣＳＩ−ＲＳポートリソースが割り付けられ得る。このようにして、隣接ＣＳＩ−ＲＳグループ間のＣＳＩ−ＲＳ衝突および干渉を最小限化することができる。図５に示される実施例では、３という再利用因数が、異なるＣＳＩ−ＲＳグループによって使用される３つの異なる陰影によって示されるように導入される。図５では、同じ陰影を有するＣＳＩ−ＲＳグループが、同じ一組のＮＣＳＩ−ＲＳ直交ＣＳＩ−ＲＳポートリソースを使用し得る。場合によっては、異なる隣接するＣＳＩ−ＲＳグループが、異なるが完全には相互排他的ではない複数対のＮＣＳＩ−ＲＳ直交ＣＳＩ−ＲＳポートリソースを使用し得る。代替として、異なるＣＳＩ−ＲＳグループによって使用される直交リソースは、完全には直交しなくてもよい。その場合、ＣＳＩ−ＲＳグループに割り付けることができる各直交リソースセットについて、「干渉なし」、「少ない干渉」、「完全干渉」等の他の直交リソースセットに対するマルチレベルスコアがあり得る。直交リソースセットを異なるＣＳＩ−ＲＳグループに割り付ける時に、複数のレベルの再利用因数がスコアに基づいて適用されることができる。
【００５１】
図７Ａ〜７Ｃは、異なるＣＳＩ−ＲＳグループに留保された異なる複数組の相互排他的（または直交）ＣＳＩ−ＲＳポートリソースがＴＤＭを使用して提供される、３つのＣＳＩ−ＲＳグループを図示する。ＣＳＩ−ＲＳグループ＃１（例えば、図５のセルＡ１−Ａ１２）が、サブフレームＸ（図７Ａ参照）上で留保されるＣＳＩ−ＲＳポートリソースにアクセスする一方で、ＣＳＩ−ＲＳグループ＃２（例えば、図５のセルＢ１−Ｂ１２）は、サブフレームＹ（図７Ｂ参照）上で留保されるＣＳＩ−ＲＳポートリソースにアクセスし、ＣＳＩ−ＲＳグループ＃３（例えば、図５のセルＣ１−Ｃ１２）は、サブフレームＺ（図７Ｃ参照）で留保されるＣＳＩ−ＲＳポートリソースにアクセスする。したがって、各ＣＳＩ−ＲＳグループは、異なる時に提供されている一組のＣＳＩ−ＲＳポートリソースが割り当てられる。
【００５２】
図８は、単一のＲＢ内の異なるＣＳＩ−ＲＳグループに対する相互排他的な複数組のＣＳＩ−ＲＳポートリソースの多重化の説明図である。図８を参照すると、ＣＳＩ−ＲＳグループサイズは、５個のセルであり、各セルは、ＣＳＩ−ＲＳが伝送されるサブフレームの中の４個のＲＥに対応する、２つのＣＳＩ−ＲＳポートに対するリソースを必要とする。したがって、各ＣＳＩ−ＲＳグループは、ＣＳＩ−ＲＳに２０個の利用可能なＲＥを留保する必要がある。ＣＳＩ−ＲＳ伝送のためにＲＢの中の合計６０個の利用可能なＲＥを用いて、３つのＣＳＩ−ＲＳグループに対する相互排他的（または直交）ＣＳＩ−ＲＳセットをＲＢ内でサポートすることができる。
【００５３】
一般に、異なるＣＳＩ−ＲＳグループに対する相互排他的な、または直交する複数組のＣＳＩ−ＲＳポートリソースは、ＦＤＭを通して達成することができ、例えば、サブフレーム内の異なるＲＢは、異なるＣＳＩ−ＲＳグループによってＣＳＩ−ＲＳ伝送に使用され、またはそれぞれ異なるサブフレームおよびＲＢにわたるＴＤＭおよびＦＤＭの組み合わせ、またはＣＤＭ様式、またはＣＳＭ様式、または上記の組み合わせを通して達成することができる。
【００５４】
場合によっては、ホッピングが行われ、例えば、ＣＳＩ−ＲＳが伝送される異なるサブフレームにわたって、特定のセルによって使用されるＣＳＩ−ＲＳポートに対応するＣＳＩ−ＲＳリソースが、経時的に１つのＣＳＩ−ＲＳリソースから別のＣＳＩ−ＲＳリソースへと変わってゆく。ＣＳＩ−ＲＳポートに使用されるＣＳＩ−ＲＳリソースのホッピングは、ＣＳＩ−ＲＳグループに留保された一組のＮＣＳＩ−ＲＳリソース内に閉じ込められ得る。場合によっては、同じＣＳＩ−ＲＳグループ内の全てのセルは、使用されるＣＳＩ−ＲＳリソースの衝突が発生しないように、同じホッピングシーケンスを使用する。したがって、ホッピングの目的は、グループ間ＣＳＩ−ＲＳ衝突および干渉を無作為化することである。
【００５５】
上記で説明されるように、再利用因数が隣接ＣＳＩ−ＲＳグループに導入される場合、相互排他的な複数組のＮＣＳＩ−ＲＳ個のＣＳＩ−ＲＳリソースが異なるグループに留保されるので、再利用クラスタ内の異なるグループに使用されるホッピングシーケンスは異なり得る。同じ一組のＮＣＳＩ−ＲＳ個のＣＳＩ−ＲＳリソースを使用するＣＳＩ−ＲＳグループ（図５に示されるように同じ陰影を共有するＣＳＩ−ＲＳグループ）については、異なるグループによって使用されるホッピングシーケンスは、ＣＳＩ−ＲＳ衝突および干渉を無作為化するように異なり得る。部分的に同一のＮＣＳＩ−ＲＳ個のＣＳＩ−ＲＳリソース（すなわち、部分的直交）を使用するＣＳＩ−ＲＳグループについては、異なるグループによって使用されるホッピングシーケンスもまた、異なり得る。
【００５６】
１０個のＣＳＩ−ＲＳポートリソース（２０個のＲＥに対応する）がＣＳＩ−ＲＳグループ＃１、＃２、および＃３のそれぞれに留保される、図８に示される実施例を使用して、図９Ａおよび９Ｂは、経時的なＣＳＩ−ＲＳグループ＃１のＣＳＩ−ＲＳポートリソースマッピングの説明図である。図８に示されるようなＣＳＩ−ＲＳグループ＃１については、１０個のＣＳＩ−ＲＳポートリソースが留保され、すなわち、図８で４、５、１０、１４、１５、１６、２７、２８、２９、および３０によって識別されるＲＥである。例えば、特定のサブフレームＡにおいて、実際のＣＳＩ−ＲＳポートリソースへのＣＳＩ−ＲＳグループ＃１内の各セル（例えば、セル＃１、＃２、＃３、＃４、および＃５）のＣＳＩ−ＲＳポートのマッピングは、図９Ａの影付きのボックスによって示される。しかしながら、二度目に、ＣＳＩ−ＲＳが伝送されると（例えば、サブフレームＢ）、実際のＣＳＩ−ＲＳポートリソースへのＣＳＩ−ＲＳポートのマッピングは、図９Ｂの影付きのボックスによって示されるように変化する。図９Ｂでは、実際のＣＳＩ−ＲＳポートリソースへの各セルのＣＳＩ−ＲＳポートのマッピングは、ＣＳＩ−ＲＳグループ＃１内のセル間で循環的に推移される。例えば、図９Ｂ（例えば、サブフレームＢ）では、セル＃１は、図９Ａ（例えば、サブフレームＡ）のセル＃２のＣＳＩ−ＲＳポートリソースを使用し、図９Ｂ（例えば、サブフレームＢ）のセル＃２は、図９Ａ（例えば、サブフレームＡ）のセル＃３のＣＳＩ−ＲＳポートリソースを使用する等である。したがって、図９Ａでは、セル＃１は、ＣＳＩ−ＲＳポートリソース４および５を使用する。しかしながら、図９Ｂでは、セル＃１は、ＣＳＩ−ＲＳポートリソース１０および１４を使用し、リソース４および５は、セル＃５によって使用される。
【００５７】
リソースマッピングのホッピングは、異なるセルが相互排他的ＣＳＩ−ＲＳポートリソースを使用するように、ＣＳＩ−ＲＳグループ内のセル間で協調させられる。同じホッピングシーケンスがＣＳＩ−ＲＳグループ内の全てのセルに使用されてもよく、各セルは、セルに関連付けられる論理ＩＤに対応する異なる所定のオフセット値によってオフセットされる。ＣＳＩ−ＲＳグループ内の異なるセルは、異なる論理ＩＤを有する。１つの特定の実装では、論理ＩＤは、セルの物理セルＩＤである。代替として、論理ＩＤは、セルの論理セルＩＤであり得る。異なるＣＳＩ−ＲＳグループが、ＣＳＩ−ＲＳグループＩＤによって無作為化される、異なるホッピングシーケンスを有し得る。上記のＣＳＩ−ＲＳリソースマッピングのホッピングは、経時的な（例えば、サブフレームに関して）および／または周波数にわたる（例えば、ＲＢに関して）ホッピングに一般化できることに留意されたい。
【００５８】
ＣＳＩ−ＲＳグループ内の各セルは、ＣＳＩ−ＲＳグループ内の他のセルによって伝送されるＣＳＩ−ＲＳ  ＲＥと一致するＰＤＳＣＨ  ＲＥの伝送をミュートするように構成され得る。これは、ＣＳＩ−ＲＳグループ内の他のセルのＣＳＩ−ＲＳに対し生成される干渉のレベルの低減をもたらし得る。代替として、ＣＳＩ−ＲＳグループ内のセルは、ＣＳＩ−ＲＳグループ内のセルの一部によって伝送されるＣＳＩ−ＲＳ  ＲＥと一致するＰＤＳＣＨ  ＲＥの伝送のみをミュートするように構成され得る。その場合、セルの一部の選択は、観察される干渉測定に基づき得る。選択は時々変更できることに留意されたい。同じＣＳＩ−ＲＳグループ内では、複数のミューティングサブセットが、ＣＳＩ−ＲＳグループ内の異なるセルおよび異なるＲＢに対して可能であり得る。概して、セルの一部は、最も強力な干渉隣接セルを含み得る。
【００５９】
図６および図７Ａ−７Ｃに示される実施例では、各ＣＳＩ−ＲＳグループは、２４個のＣＳＩ−ＲＳポートリソース（すなわち、４８個のＲＥに対応する）を必要とする。前述のように、Ｒｅｌ−８  ＰＤＳＣＨの性能をひどく低下させないために、概して、１６、２４、または３２個以下のＲｅｌ−８  ＰＤＳＣＨ  ＲＥが間引きまたはミュートされるべきである。したがって、この場合、複数のサブフレームにわたって、例えば、３つのサブフレームにわたって、ＣＳＩ−ＲＳグループに留保されたＣＳＩ−ＲＳポートリソースを分配することが好ましいことがある。そのようなものとして、各サブフレーム内で、１６個のＲＥがＣＳＩ−ＲＳに使用される。図１０Ａ〜１０Ｃは、異なるＣＳＩ−ＲＳグループに対して留保された異なるまたは相互直交ＣＳＩ−ＲＳポートリソースの説明図であり、８個のＣＳＩ−ＲＳポートリソース（すなわち、１６個のＲＥ）が、３つのサブフレームＸ（図１０Ａ）、Ｙ（図１０Ｂ）、およびＺ（図１０Ｃ）のそれぞれの中の各ＣＳＩ−ＲＳグループに留保されている。図１０Ａ〜１０Ｃに示される実施例では、同じＲＥの場所が３つのサブフレームにわたって同じＣＳＩ−ＲＳグループに留保されているが、ＣＳＩ−ＲＳグループに留保されるＲＥの場所が異なるサブフレームにわたって異なる代替的な実装があり得る。
【００６０】
ＰＤＳＣＨ  ＲＥのミューティングが、ＣＳＩ−ＲＳグループ内の隣接セルのＣＳＩ−ＲＳと一致するＲＥに対して行われる場合、別のＣＳＩ−ＲＳグループ内の隣接セルからの干渉を体験するか、またはその隣接セルに干渉を生成し得るＣＳＩ−ＲＳグループの境界に位置するセルがあり得る。干渉を回避するために、セルはまた、別のＣＳＩ−ＲＳグループ内の隣接セルと一致するＰＤＳＣＨ  ＲＥをミュートし得る。これは、サブフレーム内で間引き／ミュートされるＰＤＳＣＨ  ＲＥの数のさらなる増加につながり得る。
【００６１】
代替として、ＣＳＩ−ＲＳ間グループ干渉を回避するために、ＣＳＩ−ＲＳグループにわたるＣＳＩ−ＲＳポートリソースは、ＣＤＭまたはＣＳＭを使用して多重化され得る。その場合、ＲＢ／サブフレーム内の同じ一組の利用可能なＲＥが、異なるＣＳＩ−ＲＳグループに留保される。しかしながら、ＣＤＭの場合、異なる直交または準直交シーケンスが、異なるＣＳＩ−ＲＳグループ内のセルによって伝送されるＣＳＩ−ＲＳを変調するために使用され得る。直交性を確保するために、ＣＳＩ−ＲＳポートに使用されるＲＥは、相互に隣接し得る。ＣＳＭの場合、異なる時間領域循環シフト遅延が、異なるＣＳＩ−ＲＳグループによって伝送されるＣＳＩ−ＲＳに適用され得る。
【００６２】
場合によっては、本実装は、１つ以上の小セルの展開を含むネットワーク実装の場合に拡張され得る。そのようなものとして、ＰＤＳＣＨ  ＲＥのミューティングは、ＣＳＩ−ＲＳグループ内のマクロセルおよび小セルの両方によって伝送されるＣＳＩ−ＲＳポートリソースに対応し得る。
【００６３】
代替として、各セルは、強力な干渉隣接セルの一覧を維持し得る。一覧は、これらのセルによってサービス提供されるＵＥのＣｏＭＰ測定セットの一部として、少なくとも部分的に含まれ得る。リストは、関心のセルと同じＣＳＩ−ＲＳグループ内のセルおよび／または異なるＣＳＩ−ＲＳグループ内のセルから成ることができる。ＵＥのＣｏＭＰ測定セットは、対応する隣接セルによって伝送されるＣＳＩ−ＲＳを使用してＵＥがＣＳＩを測定する、一組の隣接セルである。強力な干渉隣接セルのリストによって伝送されるＣＳＩ−ＲＳへの干渉を低減するために、リスト内の最も強力な隣接セルによって伝送されるＣＳＩ−ＲＳ  ＲＥと一致するこのセルによるＰＤＳＣＨ  ＲＥの伝送が、ミュートされ得る。
【００６４】
セルの強力な干渉隣接セルのリストは、例えば、ＵＥのＲＳＲＰ／ＲＳＲＱレポート、ＣＱＩレポート等のＵＥの測定レポートまたはフィードバックの長期的観察に基づいて、ＲＦを計画すること、または一覧をゆっくり適合させることを通して、ネットワークによって半静的に構築することができる。
【００６５】
場合によっては、本システムは、１つ以上の小セルの展開を含むネットワーク実装の場合に拡張され得る。そのようなものとして、セル（マクロセルまたは小セルのいずれか一方）の干渉隣接セルは、干渉マクロセルならびに重層小セルの両方を含む。
【００６６】
本システムを実装する時に、受信したＰＤＳＣＨ伝送を復号するために、および、ＵＥのサービングセルおよびＵＥのＣｏＭＰ測定セットの中の隣接セルによって伝送されるＣＳＩ−ＲＳを検出するために、ＵＥは、ＵＥのサービングセルによって伝送されるＣＳＩ−ＲＳポート、ＵＥのＣｏＭＰ測定セットの中の隣接セルによって伝送されるＣＳＩ−ＲＳポート、およびミュートされているＰＤＳＣＨ  ＲＥに関係する情報を有することを必要とし得る。ＵＥが必要な情報を決定するために、ｅＮＢおよび／またはＵＥが実装し得るいくつかの機構または過程がある。
【００６７】
第１に、ＲＢ内の潜在的なＣＳＩ−ＲＳ伝送に利用可能なＲＥの物理的な場所が、仕様において事前定義されるか、またはシステム情報ブロック（ＳＩＢ）の中で放送され得る。図６に示される実施例では、合計６０個の利用可能なＲＥがあり、それらの場所は、事前定義されるか、またはシステム情報ブロック（ＳＩＢ）を使用して１つ以上のＵＥに伝達され得る。
【００６８】
各利用可能なＲＥ（およびおそらくＣＤＭシーケンスまたはＣＳＭ循環シフト遅延）は、各利用可能なＲＥおよび／またはＣＤＭシーケンスおよび／またはＣＳＭ循環シフト遅延をＣＳＩ−ＲＳポートリソースに関連付ける数によって、指標付けされる。番号付けは、仕様において事前定義されるか、またはＳＩＢの中で放送され得る。図６に示された実施例では、３０個の番号付けされたＣＳＩ−ＲＳポートリソースがある。実施例の中の各ＣＳＩ−ＲＳポートリソースは、２つのＲＥに対応する。各ＣＳＩ−ＲＳポートリソースは、ＣＳＩ−ＲＳアンテナポートのためのＣＳＩ−ＲＳ伝送に使用することができる。（例えば、ＦＤＭ、ＴＤＭ、ＣＤＭ、またはＣＳＭ領域中の）ＣＳＩ−ＲＳポートリソース間の完全直交性が維持される必要がない場合、多数のＣＳＩ−ＲＳポートリソースを定義することができる。
【００６９】
ＣＳＩ−ＲＳグループに留保されるＣＳＩ−ＲＳポートリソース（ならびにそれらの対応するサブフレーム、およびそれらのサブフレーム内のＲＢ）およびＣＳＩ−ＲＳグループＩＤは、ＣＳＩ−ＲＳグループ内の各セルによって、セルによってサービス提供されるＵＥに信号伝達され得る。信号伝達は、ＳＩＢを通して放送され、または専用信号伝達を介して各ＵＥに送信され得る。図８に示される実施例では、ＣＳＩ−ＲＳグループ＃１に留保されたＣＳＩ−ＲＳポートリソースは、４、５、１０、１４、１５、１６、２７、２８、２９、および３０によって指標付けされる。加えて、（無線フレーム内の）サブフレーム番号、および対応するＣＳＩ−ＲＳポートリソースが留保されるサブフレーム内のＲＢもまた、ＵＥに信号伝達される。ＣＳＩ−ＲＳポートリソースホッピングがＣＳＩ−ＲＳグループ内で採用される場合、ＣＳＩ−ＲＳグループに対する一組の留保されたＣＳＩ−ＲＳポートリソースは、１つのサブフレームおよび／またはＲＢから別のものに変化する。サブフレーム番号および／またはＲＢ番号に基づくホッピングシーケンスは、仕様において事前定義することができる。
【００７０】
ＣＳＩ−ＲＳグループに留保されたＣＳＩ−ＲＳポートリソースは、図１１に示されるように、ある論理ＣＳＩ−ＲＳポートリソース指数にマップされ得る。マッピングの信号伝達は、ＣＳＩ−ＲＳグループに割り当てられたＣＳＩ−ＲＳポートリソースが、放送または専用信号伝達メッセージ（例えば、無線リソース制御（ＲＲＣ）メッセージ）の中の論理指数に従って順序付けられるように、暗示的であり得る。代替として、論理指数は、割り当てられたＣＳＩ−ＲＳポートリソース指数の増分値に基づいて暗示的に割り当てられ得る。代替として、論理ＣＳＩ−ＲＳポートリソース指数へのＣＳＩ−ＲＳポートリソースのマッピングは、サービングセルによってセルのＵＥに送信される放送または専用信号伝達において明示的に示される。
【００７１】
論理ＣＳＩ−ＲＳポートリソース指数は、ＣＳＩ−ＲＳ伝送に使用される実際のＲＥへの各セルのＣＳＩ−ＲＳポートのマッピングに使用され得る。例えば、図１１に示されるように、論理ＣＳＩ−ＲＳポートリソース＃１および＃２は、セルＡ１に割り当てられ、論理ＣＳＩ−ＲＳポートリソース＃３および＃４は、セルＡ２に割り当てられる等である。論理ＣＳＩ−ＲＳポートリソースへのセルのＣＳＩ−ＲＳポートのマッピングは、例えば、仕様において定義される所定のマッピングルールに基づいて、ＣＳＩ−ＲＳグループ内のセルに割り当てられる論理ＩＤに基づくことができる。１つの実装では、論理ＩＤは、物理セルＩＤ（ＰＣＩ）と同じである。
【００７２】
ＣＳＩ−ＲＳホッピングが可能にされた場合、論理ＣＳＩ−ＲＳポートリソースへのセルのＣＳＩ−ＲＳポートのマッピングは、例えば、仕様において定義される、所定のマッピングルールに基づいて、ＣＳＩ−ＲＳグループ内のセルに割り当てられる論理ＩＤ、ならびにその上でＣＳＩ−ＲＳが伝送されるサブフレームおよび／またはＲＢに基づくことができる。論理ＣＳＩ−ＲＳポートリソースへのＣＳＩ−ＲＳポートのマッピングのための同じホッピングシーケンスは、ＣＳＩ−ＲＳグループ内の全てのセルに使用され得、各セルは、各セルに関連付けられる論理ＩＤに対応する異なる所定のオフセット値によってオフセットされる。１つの実装では、ＣＳＩ−ＲＳグループに関連付けられるホッピングシーケンスは、ＣＳＩ−ＲＳグループＩＤに基づいて定義され得る。
【００７３】
ＵＥは、ＵＥのサービングセルに関連付けられる論理ＩＤ、およびＵＥのサービングセルが伝送するＣＳＩ−ＲＳポートの数（ＵＥのサービングセルの伝送アンテナの数に対応する）とともに、ＵＥのサービングセルによって（ＲＲＣ信号伝達等の放送または専用信号伝達を介して）信号伝達され得る。論理ＩＤおよび上記で説明される情報に基づいて、ＵＥは、ＵＥのサービングセルによってＣＳＩ−ＲＳ伝送に使用されるＣＳＩ−ＲＳポートリソースを導出することができる。１つの実装では、論理ＩＤは、物理セルＩＤ（ＰＣＩ）と同じである。この場合、ＵＥは、例えば、同期化チャネルからＰＣＩを導出し得る。
【００７４】
ＣｏＭＰ動作中のＵＥはまた、ＵＥのＣｏＭＰ測定セットの中の各隣接セルの以下の情報とともに、ＵＥのサービングセルによって（ＲＲＣ信号伝達等の放送または専用信号伝達を介して）信号伝達され得る。隣接セルが異なるＣＳＩ−ＲＳグループ（すなわち、隣接ＣＳＩ−ＲＳグループ）の中にあり、（上記で論議されるように）再利用因数がＣＳＩ−ＲＳグループにわたって導入される場合、隣接ＣＳＩ−ＲＳグループの以下の情報が信号伝達され得る：１）隣接ＣＳＩ−ＲＳグループに留保されたＣＳＩ−ＲＳポートリソース（ならびにそれらの対応するサブフレーム、およびそれらのサブフレーム内のＲＢ）、２）論理ＣＳＩ−ＲＳポートリソース指数への留保されたＣＳＩ−ＲＳポートリソースのマッピング、および３）ＣＳＩ−ＲＳグループＩＤ。信号伝達される付加的な情報は、隣接セルに関連付けられる論理ＩＤ、および隣接セルが伝送するＣＳＩ−ＲＳポートの数、またはＵＥがＣＳＩを測定すべき隣接セルの特定のＣＳＩ−ＲＳポートを含み得る。
【００７５】
この情報に基づいて、ＵＥは、各隣接セルによってＣＳＩ−ＲＳ伝送に使用されるＣＳＩ−ＲＳポートリソースを導出し、したがって、ＵＥのＣｏＭＰ測定セットの中の各隣接セルの中の特定のＣＳＩ−ＲＳポートのＣＳＩを測定し、報告することができる。
【００７６】
隣接セルのリストによって伝送されるＣＳＩ−ＲＳポートリソースに基づいて、ＵＥのサービングセルによって伝送されるどのＰＤＳＣＨ  ＲＥがミュートされるかをＵＥが導出することができるように、ＵＥはまた、ＵＥのサービングセルと同じＣＳＩ−ＲＳグループ内の隣接セルの一覧に関連付けられるＣＳＩ−ＲＳポート（または特定のＣＳＩ−ＲＳポート）の論理ＩＤまたはＰＣＩおよび数が信号伝達され得る。加えて、ＵＥはまた、この隣接セルのリストによって伝送されるＣＳＩ−ＲＳポートリソースに基づいて、ＵＥのサービングセルによって伝送されるどのＰＤＳＣＨ  ＲＥがミュートされるかを導出するために、異なる（または隣接）ＣＳＩ−ＲＳグループ内の隣接セルのリストの以下の情報が信号伝達され得る。（上記で論議されるように）再利用因数がＣＳＩ−ＲＳグループにわたって導入される場合、隣接ＣＳＩ−ＲＳグループの以下の情報が信号伝達され得る：１）隣接ＣＳＩ−ＲＳグループに留保されたＣＳＩ−ＲＳポートリソース（ならびにそれらの対応するサブフレーム、およびそれらのサブフレーム内のＲＢ）、２）論理ＣＳＩ−ＲＳポートリソース指数への留保されたＣＳＩ−ＲＳポートリソースのマッピング、および３）ＣＳＩ−ＲＳグループＩＤ。付加的な情報は、隣接セルに関連付けられる論理ＩＤ、および隣接セルが伝送するＣＳＩ−ＲＳポート（または特定のＣＳＩ−ＲＳポート）の数を含み得る。
【００７７】
以下の手順は、ＵＥが、ＣＳＩ−ＲＳおよびそのサービングセルのアンテナポートの数に関係する情報を入手することを可能にする。ＬＴＥ  Ｒｅｌ−８と同様に、アイドルモードのＬＴＥ−Ａ  ＵＥは、物理放送チャネル（ＰＢＣＨ）を復号して、ＵＥの（再）選択されたセルのマスタ情報ブロック（ＭＩＢ）を読み取る。ＵＥは、ＣＲＳを伝送するために使用されるセルのアンテナ構成、共通制御チャネル（例えば、ＰＤＣＣＨ、ＰＣＦＩＣＨ、ＰＨＩＣＨ等）、ならびに１ｔｘ、２ｔｘ、または４ｔｘ構成の仮説を使用したＰＢＣＨのブラインド復号およびＣＲＣデマスキングを通してＳＩＢを運ぶＰＤＳＣＨを取得する。ＲＲＣ＿Ｃｏｎｎｅｃｔｅｄモードに入る間、またはＲＲＣ＿Ｃｏｎｎｅｃｔｅｄモードである間に、ＵＥは、ＰＤＳＣＨの中で運ばれるＳＩＢの復号を通して、前述のようなＵＥのサービングセルのＣＳＩ−ＲＳに関係する情報を入手し得る。サービングセルのＣＳＩ−ＲＳ情報は、ＬＴＥ−Ａに導入された新しいＳＩＢに、または既存のＳＩＢに導入された１つ以上の新しい情報要素（ＩＥ）に含むことができる。ＲＲＣ＿ＣｏｎｎｅｃｔｅｄモードのＵＥはさらに、ＵＥのサービングセルによって、ＣＳＩ−ＲＳポート（または特定のＣＳＩ−ＲＳポート）の数、およびＵＥがＣＳＩおよびＣＱＩを測定／報告すべき隣接セルが信号伝達され得る。これは、ＵＥに対して構成された伝送モードに関連付けられる。
【００７８】
場合によっては、ＣＳＩ−ＲＳは、ＭＢＳＦＮサブフレームの中で、またはＭＢＳＦＮサブフレームの一部の中でのみ伝送される。１つ以上のＭＢＳＦＮサブフレームは、ＣＳＩ−ＲＳが伝送される無線フレーム内で規定することができる。代替として、ＣＳＩ−ＲＳは、ＬＴＥ−Ａ  ＵＥのみをサポートするサブフレームである、ＬＴＥ−Ａサブフレームの中でのみ伝送される。ＣＳＩ−ＲＳポートリソース、ＣＳＩ−ＲＳグループ、ＣＳＩ−ＲＳグループにわたる再利用因数、およびＰＤＳＣＨ  ＲＥのミューティングの前述の概念が、この実装で適用され得る。
【００７９】
レガシーＲｅｌ−８ＵＥは、ＰＤＣＣＨ情報に対するＭＢＳＦＮサブフレームの最初の２つの記号のみを復号するので、ＭＢＳＦＮサブフレームの中の残りの記号は、Ｒｅｌ−８  ＣＲＳを伝送する必要がないことがある。したがって、ＭＢＳＦＮサブフレーム内の利用可能なＲＥの数がより大きくなる。図１２は、ＭＢＳＦＮサブフレームの中のＣＳＩ−ＲＳに対するＲＢの中の利用可能なＲＥの説明図である。図１２に示されるように、ＣＳＩ−ＲＳに対する利用可能なＲＥの数は、各ＣＳＩ−ＲＳポートリソースが２つのＲＥに対応する場合に、６０個のＣＳＩ−ＲＳポートリソースに対応する１２０である。ＣＲＳのオーバーヘッドが低減され、すなわち、１６個のＣＲＳ  ＲＥがＭＢＳＦＮサブフレームの中でもはや必要とされなくなると、利用可能なＲＥリソースのうちのいくつかを、ＣＳＩ−ＲＳ目的で、すなわち、ＣＳＩ−ＲＳ伝送またはＰＤＳＣＨ  ＲＥのミューティングのいずれか一方のために使用することができる。
【００８０】
無線フレーム内または複数の無線フレーム内の１つ以上の特別なＭＢＳＦＮサブフレームは、ＰＤＳＣＨ伝送を伴わずに、ＣＳＩ−ＲＳ伝送のみに使用され得る。特別なＭＢＳＦＮサブフレームは、ＣＳＩ−ＲＳグループ内の全てのセル、またはＣＳＩ−ＲＳ伝送のためのネットワーク内の全てのセルによって使用され得る。
【００８１】
場合によっては、ＣＳＩ−ＲＳグループ、ＣＳＩ−ＲＳグループにわたる再利用因数、ＣＳＩ−ＲＳのホッピング、およびＰＤＳＣＨ  ＲＥミューティングの概念は、各セルによって伝送されるＣＳＩ−ＲＳポートの一部のみに適用される。例えば、各セルが合計８個のＣＳＩ−ＲＳポートを伝送する場合、ＣＳＩ−ＲＳポートのうちのＮ個（Ｎ＜８）のみが、上記で説明される概念に従って実装され得る。例えば、各セルによって使用されるＮ個だけのＣＳＩ−ＲＳポートリソースは、ＣＳＩ−ＲＳグループ内で隣接セルによって使用されるものと直交し得る。再利用因数は、ＣＳＩ−ＲＳグループにわたって導入することができ、ＣＳＩ−ＲＳポートリソースのホッピングは、各セルの中のＮ個のＣＳＩ−ＲＳポートに適用され得る。セルのＰＤＳＣＨ  ＲＥのミューティングは、隣接セルのＮ個のＣＳＩ−ＲＳポートのＣＳＩ−ＲＳポートリソースと一致するＲＥのみに適用され得る。場合によっては、Ｎ個のＣＳＩ−ＲＳポートの一部は、ＣｏＭＰ目的で使用されるものである。各セルの残りの（８−Ｎ）個のＣＳＩ−ＲＳポートは、相互に直交しない、または相互に部分的に直交するＣＳＩ−ＲＳポートリソースを占有し得る。
【００８２】
場合によっては、特定のＰＤＳＣＨ  ＲＥのミューティングは、ＣＳＩ−ＲＳグループ化に基づくか、最も強力な干渉隣接セルのリストに基づくセルによって伝送される全てのＲＢに適用される。しかしながら、ミューティングはレガシーＵＥのＰＤＳＣＨ性能を低下させるので、システム帯域幅内の全てのＲＢがミューティングによって影響を受けるわけではない方が良い場合がある。
【００８３】
ＣｏＭＰが適用されないセル中心により近いＵＥについては、これらのＵＥが隣接セルのＣＳＩ−ＲＳを測定する必要性がないことがある。したがって、ＰＤＳＣＨ  ＲＥのミューティングは、どんな便益もこれらのＵＥに提供しないことがある。一方で、セルエッジにより近いＵＥについては、強力に干渉する隣接セルのリストは、異なるＵＥの場所に対して異なり得る。図１３は、セル内の異なる場所にあるＵＥにとって最も強力な隣接セルを示す、ネットワーク内のＣＳＩ−ＲＳグループ化の説明図である。図１３を参照すると、セルＡ１内で、第１のＵＥが、「Ｘ」によって印付けられた場所に位置する一方で、第２のＵＥは、「Ｙ」によって印付けられた場所に位置する。「Ｘ」に位置するＵＥについて、考えられる強力な干渉隣接セルは、セルＡ１２、Ａ４、およびＡ５であることが分かる。「Ｙ」に位置する第２のＵＥについて、考えられる強力な干渉隣接セルは、セルＡ６、Ａ７、Ａ２、およびＡ８である。グループ内のセルが上記で論議されるように相互直交ＣＳＩ−ＲＳを伝送する、この実施例で示されるように、ＣＳＩ−ＲＳグループサイズが依然として１２であり得るが、ミューティングは、グループ内の１２個全てのセルによって伝送されるＣＳＩ−ＲＳのＲＥと一致するＰＤＳＣＨ  ＲＥに発生する必要はない。ＰＤＳＣＨ  ＲＥのミューティングは、強力な隣接セルによって伝送されるＣＳＩ−ＲＳと一致し、強力な隣接セルのＣＳＩ−ＲＳを測定するように関心のＵＥによって使用されるＲＢ内にある、ＲＥのみに必要であり得る。
【００８４】
不必要なミューティングを回避するために、システム帯域幅内のセルによって伝送されるＲＢは、異なるＲＢグループに分割され得る。特定のＲＢグループは、基地局によって識別され、ＲＢグループの識別は、ＵＥに伝送され得る。図１３に示されるＣＳＩ−ＲＳグループについて、例えば、利用可能なＲＢは、図１４に示されるような３つのＲＢグループに区分され得る。図１４は、ＰＤＳＣＨ  ＲＥミューティング要件に基づくＲＢの説明図である。各ＲＢグループ内のＲＢは、連続的または不連続的となり得る。この実施例では、ＲＢの第１のグループ３００は、ＣｏＭＰを必要としないセル中心ＵＥへのＰＤＳＣＨ伝送に使用される。セル中心ＵＥが隣接セルのＣＳＩ−ＲＳを測定する必要がないため、ＰＤＳＣＨ  ＲＥのミューティングはＲＢの第１のグループ３００に必要とされない。ＲＢの第１のグループ３００はまた、ＣＳＩ−ＲＳ伝送によって引き起こされる影響が低減されるため、レガシーＲｅｌ−８  ＵＥへのＰＤＳＣＨ割当に使用することもできる。
【００８５】
ＲＢの第２のグループ３０２は、セルＡ４、Ａ５、Ａ１２が強力な干渉隣接セルであるような、ＣｏＭＰを必要とし、セルエッジ領域に位置する、セルエッジＵＥへのＰＤＳＣＨ伝送（例えば、場所ＸにあるＵＥへの伝送のため）に使用される。その場合、ミューティングは、隣接セルによって伝送されるＣＳＩ−ＲＳと一致するＰＤＳＣＨ  ＲＥ上で行われる。
【００８６】
ＲＢの第３のグループ３０４は、セルＡ２、Ａ６、Ａ７、Ａ８が強力な干渉隣接セルであるような、ＣｏＭＰを必要とし、セルエッジ領域に位置する、セルエッジＵＥへのＰＤＳＣＨ伝送（例えば、場所ＹにあるＵＥへの伝送のため）に使用される。その場合、ミューティングは、これらの隣接セルによって伝送されるＣＳＩ−ＲＳと一致するＰＤＳＣＨ  ＲＥ上で行われる。
【００８７】
図１４に図示される実装は、各グループが、一組の強力な干渉隣接セルによって伝送されるＣＳＩ−ＲＳに対して引き起こされる干渉を回避するようにミュートされる、一意の一組のＰＤＳＣＨ  ＲＥを有する、セル内の異なる数のＲＢグループを定義するように一般化され得る。その場合、各ＲＢグループは、特定の一組の強力な干渉隣接セルを観察する、ＵＥの特定のグループに向けられ得る。上記で説明されるＲＢグループはまた、時間領域または時間領域および周波数領域に適用することもでき、異なるＲＢグループは、異なる発生期間を伴う異なるサブフレームにわたって定義されることができる。サービングおよび隣接セルのＣＳＩ−ＲＳ検出信頼性を向上させるように、異なるＣＳＩ−ＲＳ出力増大レベルを異なるＲＢグループに適用することができる。例えば、セル中心ＵＥにサービス提供するために使用される第１のＲＢグループは、ＣＳＩ−ＲＳ出力増大を必要としなくてもよく、すなわち、出力増大レベルは、０ｄＢに設定される。セルエッジＵＥにサービス提供するために使用される第２および第３のＲＢグループ（例えば、グループ３０２および３０６）は、同じ出力増大レベル、または０ｄＢよりも大きい出力増大レベルを伴って構成され得る。
【００８８】
複雑性を低減するため、およびスケジューリング効率への影響を低減するために、ＲＢグループの数は、比較的小さく保たれ得る。一実施例では、ＵＥ１およびＵＥ２の両方は、セルＡ１によってサービス提供される。ＵＥ１が、強力な干渉隣接セルとしてセルＡ２およびセルＡ３を有する一方で、ＵＥ２は、強力な干渉隣接セルとしてセルＡ２のみを有する。ＵＥ１およびＵＥ２は、異なるＲＢグループの数を低減するように、別個のＲＢグループにグループ化され得るが、ＵＥ１およびＵＥ２は、ＵＥ１およびＵＥ２の両方に対する強力な干渉隣接セルとして隣接セルＡ２およびセルＡ３を定義する、同じＲＢグループにグループ化することができる。その場合、セルＡ２およびセルＡ３によって伝送されるＣＳＩ−ＲＳと一致するＲＢグループの各ＲＢ内のＰＤＳＣＨ  ＲＥがミュートされ得る。これは、ＵＥ２に不必要なミューティングオーバーヘッドを招くが、特定のセルに定義される必要があるＲＢグループの数を削減し、したがって、スケジューリング効率への影響を低減する。代替として、簡単にするために、ＲＢグループの数は、２のみに設定されてもよく、第１のグループは非ＣｏＭＰ  ＵＥに留保され、第２のグループはＣｏＭＰ動作に留保される。異なるセルまたはセルの一部が、異なる構成を有し得ることに留意されたい。
【００８９】
この実装では、ＵＥは、１つ以上の割り当てられたＲＢグループのＣＱＩおよびＣＳＩを報告するように構成され得る。各割り当てられたＲＢグループにおけるＵＥに対して構成されるＣＱＩおよびＣＳＩ報告は、ＲＢグループ内の全てのＲＢにわたる平均ＣＱＩ／ＣＳＩ、および／またはＲＢグループ内のある好ましいサブバンド（各サブバンドはいくつかの隣接ＲＢから成る）のＣＱＩ／ＣＳＩであり得る。ＵＥはまた、割り当てられたＲＢグループ間での１つ以上の好ましいＲＢグループの広帯域および／またはサブバンドＣＱＩ／ＣＳＩを報告するか、または割り当てられたＲＢグループの全ての間での好ましいサブバンドを報告するように構成され得る。
【００９０】
場合によっては、システムは、１つ以上の小セルの展開を含むネットワーク実装の場合に拡張され得る。そのようなものとして、ＲＢグループ内のＰＤＳＣＨ  ＲＥミューティングを定義する、一組の強力な干渉隣接セルは、隣接マクロセルならびに重層小セルの両方を含み得る。
【００９１】
セルから伝送される特定のＰＤＳＣＨ  ＲＥのミューティングまたは非ミューティングは、隣接セルのＣＳＩ−ＲＳに引き起こされる干渉のレベルに影響を及ぼし得るので、ＲＢグループ化は、隣接セル間で協調され、同じ一組の強力な干渉セルおよびそれらのサービングセルを観察している隣接セルの中の一組のＵＥにサービス提供するために、ＲＢの同じグループが使用され得る。図１４に図示される３つのＲＢグループの実施例を使用すると、ＲＢグループ３００は、ＣｏＭＰを使用しないセル中心ＵＥにサービス提供するために使用され得る。このＲＢの同じグループは、各隣接セルによって、同様に、独自のセル中心ＵＥにサービス提供するために使用されることができる。したがって、たとえこれらのＲＢの中のＰＤＳＣＨ  ＲＥのミューティングがなくても、種々の隣接セルの中のこれらのセル中心ＵＥのＣＳＩ−ＲＳ検出には影響がない。実施例として、ＲＢグループ３０２について、図１３のセルＡ１、Ａ４、Ａ５、およびＡ１２は、ＲＢグループ３０２に関連付けられる相互干渉セルとして定義され得る。ＲＢグループ３０２に定義されるＲＢは、図１３のセルＡ１、Ａ４、Ａ５、およびＡ１２を含む、サービングセルおよび強力な干渉セルのリストを有するＵＥにサービス提供するために、相互干渉セルのそれぞれによって使用され得る。各相互干渉セルは、相互干渉セルのＣＳＩ−ＲＳと一致するＲＥに対するＰＤＳＣＨ  ＲＥミューティングを行い得る。同様に、ＲＢグループ３０４については、関連相互干渉セルは、Ａ１、Ａ２、Ａ６、Ａ７、およびＡ８である。ＲＢグループ３０４に定義されるＲＢは、セルＡ１、Ａ２、Ａ６、Ａ７、およびＡ８を含む、サービングセルおよび強力な干渉セルのリストを有するセルのＵＥにサービス提供するために、相互干渉セルのそれぞれによって使用され得る。
【００９２】
本実装によれば、１つ以上のＲＢグループが各セルに定義される。第１のＲＢグループに留保される一組のＲＢは、別のＲＢグループに留保される一組のＲＢから相互排他的であり得る。各ＲＢグループは、相互干渉セルの関連リストを有する。ＲＢグループに関連付けられる相互干渉セルのリストは、ＣＳＩ−ＲＳミューティンググループと呼ばれ得る。ＣＳＩ−ＲＳミューティンググループ内の相互干渉セルのそれぞれは、ＵＥのサービングセルを除く、ＣＳＩ−ＲＳミューティンググループ内のセルからの強力な干渉を観察する、独自のＵＥにサービス提供するために、対応するＲＢグループに留保されるＲＢを使用する。次いで、ＣＳＩ−ＲＳミューティンググループ内のセルのそれぞれは、ＣＳＩ−ＲＳミューティンググループ内の他のセルから伝送されるＣＳＩ−ＲＳと一致するＲＥにＰＤＳＣＨ  ＲＥミューティングを行い得る。ＣＳＩ−ＲＳミューティンググループ内のセルのそれぞれは、ある事前構成された出力増大レベルをＣＳＩ−ＲＳ伝送に適用するように構成され得る。出力増大レベルは、全てのセル間で同じであるか、または異なるセルに対して異なるように設定され得る。
【００９３】
スケジューリング効率への影響を低減するためにセルに定義される必要があるＲＢグループの数を削減するために、異なる強力な干渉隣接セルを観察するＵＥを一緒にグループ化し、同じＲＢグループによってサービス提供することができる。例えば、ＲＢグループは、相互干渉セルとして第１、第２、および第３のセルに関連付けられ得る。ＵＥ１およびＵＥ２は、第１のセルによってサービス提供される。ＵＥ１は、強力な干渉セルとして第２および第３のセルを観察し、したがって、このＲＢグループによってサービス提供される。ＵＥ２は、強力な干渉セルとして第２のセルのみを観察する。しかしながら、この実施例では、ＵＥ２はまた、このＲＢグループによってサービス提供することもできる。これは、ＵＥ２に対するＰＤＳＣＨ  ＲＥの不必要なミューティングを導入するが、第１および第２のセルを相互干渉セルとして定義するように別のＲＢグループを追加することを回避する。
【００９４】
場合によっては、本システムは、１つ以上の小セルの展開を含むネットワーク実装の場合に拡張され得る。そのようなものとして、ＣＳＩ−ＲＳミューティンググループは、相互干渉マクロセルならびに相互干渉マクロセル内の重層小セルから成ってもよい。ミュートされる必要があるＰＤＳＣＨ  ＲＥの数を削減するために、ＣＳＩ−ＲＳミューティンググループ内の異なるマクロセルのサービスエリアの中に位置する小セルには、同じＣＳＩ−ＲＳポートリソースを割り当てることができる。
【００９５】
セルまたは基地局は、ＵＥの測定レポート（例えば、ＲＳＲＰまたはＲＳＲＱレポート）および他のＵＥから受信される測定レポートの組み合わせを使用して、ＵＥによって観察される強力な干渉セルの一覧を識別することができる。セルによってサービス提供されるＵＥからのＲＳＲＰ／ＲＳＲＱレポートに基づいて、かつ隣接セルとの協調を通して、セルは、構築されるＲＢグループの数、各ＲＢグループに関連付けられる干渉隣接セル、および各ＲＢグループに割り当てられるＲＢの数を決定することができる。構成は、時々更新され得る。場合によっては、セルは、セルの隣接セルと協調してＲＢグループ化を決定する。グループ化はまた、ＣｏＭＰセットに関与するユーザの数、トラフィック負荷状況、または隣接セル負荷条件等に依存し得る。
【００９６】
１つ以上のＵＥから受信されるＲＳＲＰ／ＲＳＲＱレポートに基づいて、セルは、ＵＥが割り当てられるべきであるＲＢグループを決定する。例えば、ＵＥは、ＵＥのＣｏＭＰ測定セットがＲＢグループに関連付けられる干渉隣接セルの一部である、ＲＢグループに割り当てられ得る。代替として、ＵＥは、セルによってサービス提供されるＵＥ間のより良好なリソース多重化および全体的スケジュール効率を可能にするように、複数のＲＢグループを割り当てられることができる。
【００９７】
サービングセルによって伝送されるＣＳＩ−ＲＳ、ＣｏＭＰ測定セットの中の隣接セルによって伝送されるＣＳＩ−ＲＳ、およびミュートされたＰＤＳＣＨ  ＲＥを示すためのＵＥへの信号伝達の使用に加えて、割り当てられたＲＢグループの対応するＰＤＳＣＨ  ＲＥミューティングに加えて１つ以上のＲＢグループをＵＥに割り当てるために、付加的な信号伝達が使用され得る。例えば、ＲＢグループに関連付けられる以下の情報が（例えば、ＳＩＢ放送または専用ＲＲＣ信号伝達を使用して）ＵＥに信号伝達され得る。ＲＢグループに属する一組のＲＢ、この一組は、連続的、不連蔵的、または両方の組み合わせであり得る。ＵＥは、ＲＢグループに関連付けられるＣＳＩ−ＲＳミューティンググループ内の隣接セル（干渉セルグループと呼ばれる）のリストに関連付けられるＣＳＩ−ＲＳポート（または特定のＣＳＩ−ＲＳポート）の論理ＩＤまたはＰＣＩおよび数が信号伝達され得、隣接セルのこのリストによって伝送されるＣＳＩ−ＲＳポートリソースに基づいて、ＵＥは、ＲＢグループ内のサービングセルによって伝送されるどのＰＤＳＣＨ  ＲＥがミュートされるかを導出することができる。１つの実装では、ＵＥのＣｏＭＰ測定セットは、隣接セルの上記のリストの一部である。最終的に、ＵＥは、ＲＢグループに関連付けられるＣＳＩ−ＲＳミューティンググループ内のセルによって伝送されるＣＳＩ−ＲＳの出力増大レベルを信号伝達され得る。
【００９８】
ＲＢグループに関係する上記の情報がＵＥに放送される場合、ＵＥは、専用信号伝達（例えば、専用ＲＲＣ信号伝達）を介して、別々にＲＢグループが割り当てられるか、または割当を外され得る。代替として、専用信号伝達（例えば、専用ＲＲＣ信号伝達）は、ＲＢグループをＵＥに割り当て／ＵＥから割当を外し、同時に、割り当てられたＲＢグループに関連付けられる上記の情報をＵＥに提供するために使用することができる。
【００９９】
異種ネットワークの場合、小セルがマクロセルのサービスエリア内に位置し得る。その場合、小セルによって伝送されるＣＳＩ−ＲＳは、その内側に小セルが位置するマクロセルによって伝送されるＣＳＩ−ＲＳ、ならびに他の干渉マクロおよび小セルによって伝送されるＣＳＩ−ＲＳと直交にされ得る。
【０１００】
小セルの低伝送電力により、小セルの範囲は重複しない場合がある。図１５は、マクロセル内に配置される小セル＃１、＃２、および＃３とともにいくつかのマクロセルを含む、ネットワーク例の説明図である。図１５に示されるように、マクロセルＡ１およびＡ４は、小セル＃１、＃２、および＃３に直接干渉し得る。したがって、周辺マクロセルも、小セル＃１、＃２、および＃３に干渉し得る。しかしながら、小セルは概して、相互に干渉しないので、同じＣＳＩ−ＲＳポートリソースを非重複小セルによって伝送することができる。
【０１０１】
１つの実装では、上記で導入されるＣＳＩ−ＲＳグループの概念は、小セルのそれぞれがＣＳＩ−ＲＳグループの独立メンバーとして追加され得るように拡張される。例えば、この実施例に示されるＣＳＩ−ＲＳグループは、１２から１３のグループサイズに拡張され、小セルＳＣ＃１、ＳＣ＃２、ＳＣ＃３はそれぞれ、同じＣＳＩ−ＲＳポートリソースを使用し、ＣＳＩ−ＲＳグループメンバーＡ１３に機能的に対応する。図１５に示されるように、小セルが重複しないので、小セル＃１、＃２、および＃３はそれぞれ、小セルが同じマクロセル範囲または異なるマクロセル範囲内にあるか否かにかかわらず、ＣＳＩ−ＲＳグループメンバーセルＡ１３に定義される同じＣＳＩ−ＲＳポートを使用することができる。この実施例では、同じＣＳＩ−ＲＳポートリソースを使用する小セルのグループが、ＣＳＩ−ＲＳサブグループとしてＣＳＩ−ＲＳグループ内で定義される。
【０１０２】
小セルがインストールされるか、または電源オンにされると、小セルは、干渉環境、すなわち、干渉隣接セルを検出し、これらの干渉セルを自己組織ネットワーク（ＳＯＮ）マネージャに報告するように構成され得る。次いで、ＳＯＮマネージャは、同じＣＳＩ−ＲＳポートリソースを非重複小セルに割り当て得る。例えば、図１５を参照して、ＳＯＮは、マクロセルＡ１が干渉しているという小セル＃１および＃２からのレポートを受信し得る。その場合、小セル＃１も＃２も、他方の小セルが干渉していることを報告しない。したがって、小セル＃１および＃２は、相互に重複せず、同じＣＳＩ−ＲＳリソースが割り当てられ得る。
【０１０３】
図１６は、小セルのうちの１つ以上が重複する、代替的な小セルネットワーク展開の説明図である。図１６では、ＳＣ＃３およびＳＣ＃５の範囲が重複し、ＳＣ＃２およびＳＣ＃４の範囲が重複する。重複小セル間の干渉により、これらの重複小セルによって伝送されるＣＳＩ−ＲＳは直交する。結果として、ＣＳＩ−ＲＳグループサイズは１４になる。マクロセル（Ａ１−Ａ１２）は、ＣＳＩ−ＲＳグループの１２個のメンバーを提供する。小セル＃１、＃２、および＃３はそれぞれ、相互に干渉しないため、単一のメンバーを提供する。小セル＃４および＃５はそれぞれ、小セル＃１、＃２、および＃３によって使用されるものと直交するＣＳＩ−ＲＳが割り付けられるため、ＣＳＩ−ＲＳグループの単一の付加的なメンバーを提供する。
【０１０４】
図１６に示される実施例では、２つのＣＳＩ−ＲＳサブグループが、ＣＳＩ−ＲＳグループ内で定義される。ＣＳＩ−ＲＳサブグループ１は、Ａ１３に対応するＣＳＩ−ＲＳポートリソースを伝送する、ＳＣ＃１、ＳＣ＃２、およびＳＣ＃３から成る。ＣＳＩ−ＲＳサブグループ２は、Ａ１４に対応するＣＳＩ−ＲＳポートリソースを伝送するＳＣ＃４およびＳＣ＃５から成る。報告された干渉状況に基づいて、ネットワークは、小セルに割り当てられるＣＳＩ−ＲＳを選択し得る。例えば、小セルがインストールされるか、または電源オンにされると、小セルは、干渉環境、すなわち、干渉隣接セルを検出し、干渉環境を自己組織ネットワーク（ＳＯＮ）マネージャに報告し得る。ＳＯＮマネージャは、異なるＣＳＩ−ＲＳポートリソースを重複小セルに割り当て得る。
【０１０５】
代替として、小セルのうちのいくつかによって使用されるＣＳＩ−ＲＳポートリソースは、ＣＳＩ−ＲＳグループ内のマクロセルによって使用される全てのＣＳＩ−ＲＳポートリソースに直交する必要はない。小セルの場所に応じて、例えば、使用されるＣＳＩ−ＲＳポートリソースは、ＣＳＩ−ＲＳグループ内の干渉マクロセル（および重複サービスエリアを伴う他の小セル）によって使用されるＣＳＩ−ＲＳポートリソースに直交することのみを必要とし得る。
【０１０６】
例えば、図１７は、場合によっては、小セルの範囲が重複する、マクロセル範囲の上に小セルのオーバーレイを含む、ネットワーク実装の説明図である。図１７に示されるように、小セル＃２および小セル＃４に対する干渉マクロセルは、ＣＳＩ−ＲＳグループ内のＡ１、Ａ３、Ａ４、Ａ５、およびＡ１２に対応するセルである。したがって、小セル＃２および小セル＃４は、小セル＃２および小セル＃４がそれら自体の間で異なるＣＳＩ−ＲＳポートリソースを使用する限り、Ａ２、Ａ６、Ａ７、Ａ８、Ａ９、Ａ１０、Ａ１１に対応するＣＳＩ−ＲＳポートリソースを使用することができる。この実施例では、小セル＃１および小セル＃３は、Ａ１のセル部位に近く、隣接マクロセルからの最小限の干渉を観察する。したがって、小セル＃１および小セル＃３は、小セル＃１および小セル＃３がそれら自体の間で異なるＣＳＩ−ＲＳポートリソースを使用する限り、Ａ２からＡ１２に対応するＣＳＩ−ＲＳポートリソースのうちのいずれをも使用することができる。従って、小セル＃１および小セル＃３によって使用されるＣＳＩ−ＲＳポートリソースは、セルが重複サービスエリアを持たないため、小セル＃２および小セル＃４によって使用されるものと同じであり得る。代替として、ＣＳＩ−ＲＳグループ内のマクロセルのＣＳＩ−ＲＳポートリソースは、小セルで再利用され得る。
【０１０７】
小セルの数が比較的大きい場合、ＣＳＩ−ＲＳ割付の２つの層が使用され得る。小セルは、第１階層グループ化に割り付けられてもよく、マクロセルは、第２階層に割り付けられ得る。共通ＣＳＩ−ＲＳグループが、第１および第２階層の両方のセルに割り当てられ得るが、同じＣＳＩ−ＲＳリソース割付を有する第１階層グループは、同じＣＳＩ−ＲＳリソース割付を有する第２階層グループとサービスエリアが重複されないことがある。場合によっては、干渉シナリオが制御可能であれば、重複が許容され得る（しかし限定されない）。
【０１０８】
小セルが１つの場所から別の場所へ移動する場合、例えば、モバイル中継ノードまたは移動ピコセルの場合、別個の一組のＣＳＩ−ＲＳポートリソースが移動小セルに留保され得る。これらのＣＳＩ−ＲＳポートリソースは、マクロセルおよび／または静的小セルに使用されるものとは別であるか、または直交し得る。したがって、小セルが１つの場所から別の場所へ移動するにつれて、小セルのＣＳＩ−ＲＳは、他のマクロセルまたは静的小セルによって伝送されるＣＳＩ−ＲＳと干渉しない。
【０１０９】
異なる移動小セルには、移動小セルに留保された一組のＣＳＩ−ＲＳポートリソース内の異なるＣＳＩ−ＲＳポートリソースが割り当てられ得る。移動小セル間のＣＳＩ−ＲＳ干渉を回避するために、同じマクロセルサービスエリア内に位置する移動小セルは、異なるＣＳＩ−ＲＳポートリソースを使用し得る。移動小セルが１つのマクロセルサービスエリアから別のサービスエリアに移動する場合、移動小セルによって使用されるＣＳＩ−ＲＳポートリソースが変化し得る。移動小セル、静的小セル、およびマクロセルに対するＣＳＩ−ＲＳポートリソースの割付、留保、および協調は、ＳＯＮマネージャによって行われ得る。
【０１１０】
代替として、小セルが移動している時、移動小セルは、強力に干渉する隣接セルを連続的に監視するように構成される。その場合、ＣＳＩ−ＲＳは、干渉を低減するように、移動小セルによって捕捉され、放送される更新された強力な干渉隣接セルセットに基づいて、選択および再選択される。これは、例えば、ＳＯＮマネージャによって、分散または集中制御方式でネットワークによって行うことができる。小移動セルは、ＢＣＣＨ信号伝達または専用信号伝達を介して、更新されたＣＳＩ−ＲＳをＵＥに送信し得る。
【０１１１】
代替として、移動小セルによって使用される一組のＣＳＩ−ＲＳポートリソースは、マクロセルおよび／または静的小セルによって使用されるものから完全には分離されなくてもよい。移動小セルによって使用されるＣＳＩ−ＲＳポートリソースは、移動小セルおよび干渉隣接マクロセルの現在の場所に基づき得る。移動小セルによって使用されるＣＳＩ−ＲＳポートリソースは、干渉マクロセルによって使用されるもの、ならびに干渉マクロセルの範囲内に位置する他の小セル（移動または静的）によって使用されるものと直交し得る。代替として、移動小セルによって使用されるＣＳＩ−ＲＳポートリソースは、干渉マクロセルによって使用されるもの、ならびに移動小セルと同じマクロセルサービスエリア内に位置する他の小セル（移動または静的）によって使用されるものと直交する。移動小セルによって使用されるＣＳＩ−ＲＳポートリソースは、移動小セルが現在位置しているマクロセルによって使用されるもの、ならびに移動小セルと同じマクロセルサービスエリア内に位置する他の小セル（移動または静的）によって使用されるものと直交し得る。移動小セルが移動するにつれて、使用されるＣＳＩ−ＲＳポートリソースは、干渉環境に基づいて変化し得る。
【０１１２】
高速で移動するＵＥの場合、効率的なスケジューリング、プリコーダ選択、およびリンク適応のための確実なチャネル情報を提供するために、ＣＳＩ−ＲＳサブフレーム放送のより頻繁な発生が使用され得る。例えば、本システムの一実装では、ＣＳＩ−ＲＳは、上記で説明されるように伝送されるが、ＣＳＩ−ＲＳ放送の付加的な発生が無線フレーム内で行われ、高速モバイルを対象としている。付加的な一組のＣＳＩ−ＲＳは、補足ＣＳＩ−ＲＳと呼ばれ得る。
【０１１３】
補足ＣＳＩ−ＲＳサブフレームの周期性は、通常のＣＳＩ−ＲＳサブフレーム周期性と同じであるか、それより大きくてもよい。例えば、通常のＣＳＩ−ＲＳサブフレームと補足ＣＳＩ−ＲＳサブフレームとの両方の周期性は同じであるが、サブフレームの場所は、交互配置され、時間において最大分離を確実にする。図１８は、それぞれ１０個のサブフレーム（または１つのフレーム）の周期性を有する、交互配置された通常および補足ＣＳＩ−ＲＳサブフレームの場所の説明図である。
【０１１４】
補足ＣＳＩ−ＲＳの伝送は、ネットワークによって半静的に構成され得る。補足ＣＳＩ−ＲＳ伝送の構成は、現在の無線条件、モバイル速度、およびセル負荷条件に基づいて、時々変更され得る。例えば、セルが過剰に負荷される場合、より多くのユーザデータ伝送を可能にするように、補足ＣＳＩ−ＲＳ伝送が停止され得る。代替として、セル負荷が軽く、高速ＵＥの数が多い時に、ネットワークは、例えば、ＵＥが高速で移動している可能性が高い、高速道路、鉄道、または他の高速の道に沿って、より正確なＣＳＩ推定を可能にするように、より多くの補足ＣＳＩ−ＲＳ伝送を構成し得る。
【０１１５】
通常のＣＳＩ−ＲＳおよび補足ＣＳＩ−ＲＳ放送は、あるサブフレームに対して同じサブフレーム上で発生し得る。その場合、通常のＣＳＩ−ＲＳおよび補足ＣＳＩ−ＲＳは、異なるＲＢまたは同じＲＢ上で伝送され得る。
【０１１６】
補足ＣＳＩ−ＲＳによってサポートされるアンテナポートの数は、オーバーヘッドを限定するように、通常のＣＳＩ−ＲＳのもの以下であり得る。補足ＣＳＩ−ＲＳアンテナポートは、通常のＣＳＩ−ＲＳに提示されるものと同じパターンでＲＥにマップされ得る。例えば、通常のＣＳＩ−ＲＳは、ＲＢあたりＮ個（例えば、Ｎ＝８）のアンテナポートを使用し得るが、補足ＣＳＩ−ＲＳは、ＲＢあたりＭ＜Ｎ個（例えば、Ｍ＝２）のアンテナポートのみをサポートし得る。
【０１１７】
場合によっては、補足ＣＳＩ−ＲＳに使用されるアンテナポートおよびＲＥの数は、より少ないアンテナまたは仮想アンテナストリームの数がサポートされるので、通常のＣＳＩ−ＲＳよりも少ない。例えば、通常のＣＳＩ−ＲＳが、各アンテナポートに対してＲＢあたり１個のＲＥを伴って８個のアンテナポートをサポートする場合、補足ＣＳＩ−ＲＳは、各アンテナポートに対してＲＢあたり１個のＲＥを伴って２個のアンテナポートをサポートし得る。
【０１１８】
いくつかの構成では、ＵＥは、より多数組のアンテナのＣＳＩ推定に通常のＣＳＩ−ＲＳを使用することができ、アンテナの一部に対する付加的なＣＳＩ推定（すなわち、より頻繁な情報）に補足ＣＳＩ−ＲＳを使用することができる。いくつかのＵＥは、ＣＳＩ推定のために、通常および補足ＣＳＩ−ＲＳの両方に共通するアンテナおよび空間的寸法のみを使用し得る。これは、より少ないアンテナおよび一般的により低いランクの伝送を必要とし得る、より高速のＵＥに利益をもたらすことができるが、この構成は、より高速で変化するチャネル条件により、より頻繁なＣＳＩ−ＲＳ放送を必要とし得る。
【０１１９】
ゆっくり変化するチャネル条件を有し、より高いランクの伝送をサポートすることが可能であるＵＥは、ＵＥが補足ＣＳＩ−ＲＳアンテナポートから個々の通常のＣＳＩ−ＲＳアンテナポートを分離するのに十分な情報（例えば、どのように各補足ＣＳＩ−ＲＳアンテナポートが通常のＣＳＩ−ＲＳアンテナポートにマップされるか、または通常のＣＳＩ−ＲＳアンテナポートから線形／非線形に組み合わせられるか）を持たない場合に、補足ＣＳＩ−ＲＳを無視し得る。しかしながら、一般に、ＵＥが、例えば、ＢＣＣＨまたは専用ＲＲＣ信号伝達を介して、補足ＣＳＩ−ＲＳ情報を有する場合、ＵＥは、より良好なＣＳＩ測定のためにＣＳＩ−ＲＳを使用し得る。
【０１２０】
ＵＥは、ＣＳＩ推定のために、通常のＣＳＩ−ＲＳ、補足ＣＳＩ−ＲＳ、または通常および補足ＣＳＩ−ＲＳの組み合わせを使用し、補足することを選択することができ、または代替として、ネットワークによってそのように構成することができる。同様に、ＵＥからのＵＬについてのフィードバックは、ＣＳＩフィードバックが補足ＣＳＩ−ＲＳポートまたは通常のＣＳＩ−ＲＳポートの形式に基づくかどうかを示し得る。代替として、ＵＥは、ＣＳＩ−ＲＳ形式のうちの１つに従ってＣＳＩフィードバックを提供するようにネットワークによって構成され得る。
【０１２１】
通常のＣＳＩ−ＲＳポートを使用するＵＥは、通常のＣＳＩ−ＲＳアンテナポートと補足ＣＳＩ−ＲＳアンテナポートとの間のマッピングルール、およびＵＥがマッピングルールに関する十分な情報を提供したかどうかに応じて、補足ＣＳＩ−ＲＳアンテナポートの形式に従ってＣＳＩをフィードバックし得る。
【０１２２】
１つの実装では、補足ＣＳＩ−ＲＳに対するアンテナポートは、通常のＣＳＩ−ＲＳに使用されるものの一部であり、例えば、ポートの所定の割付に従ってマップされ得る。ポートのマッピング例が、以下の表２に図示されている。次いで、システムは、例えば、行指数によってＵＥに示され得る、これらの構成のうちの１つを使用することができる。行指数に必要とされる信号伝達を限定するために、異なる表を各番号の通常のＣＳＩ−ＲＳアンテナポートに使用することができる。代替として、ネットワークは、ＲＲＣ信号伝達を介して、リストベースの形式で補足ＣＳＩ−ＲＳポートおよびマップされた通常のＣＳＩ−ＲＳポートを信号伝達し得る。場合によっては、表は、特定の番号の通常のＣＳＩ−ＲＳアンテナポートに対して、アンテナポートマッピングおよび補足ＣＳＩ−ＲＳポートの番号の両方を示し得る。表は、基地局によって半静的に構成することができる。
【０１２３】
したがって、表２および表３は、それぞれ、４個および８個の通常のＣＳＩ−ＲＳアンテナポートに対する可能なマッピング表を図示する。次いで、補足アンテナポートの番号ならびにマッピングルールは、表の行指数を特定することによって示され得る。
【０１２４】
【表２】
2013519337.tif 000004
【０１２５】
【表３】
2013519337.tif 000005
場合によっては、各表に対する行指数の数（各番号の通常のＣＳＩ−ＲＳアンテナポートに対する表がある場合）は同じであり得る。これは、通常のＣＳＩ−ＲＳアンテナポートの数にかかわらず、補足ＣＳＩ−ＲＳポートに対する行指数の指示およびポートマッピングが一定となることを可能にし得る。
【０１２６】
通常および補足ＣＳＩ−ＲＳの両方を使用するＵＥは、通常のＣＳＩ−ＲＳのみを使用するＵＥよりも、通常アンテナポートおよび補足アンテナポートのセットに含まれるアンテナポート上に頻繁なＣＳＩを有し得る。補足ＣＳＩ−ＲＳポートを使用するＵＥは、補足ＣＳＩ−ＲＳアンテナポートの形式に従ってＣＳＩをフィードバックするように構成され得る。
【０１２７】
場合によっては、補足ＣＳＩ−ＲＳに対するアンテナポートは、通常のＣＳＩ−ＲＳに使用されるものの線形または非線形の組み合わせである。実践では、表またはプリコーディング行列セットが、ポートの選択されたマッピングのために作成され得る。次いで、システムは、行指数またはプリコーディング行列指数（ＰＭＩ）によって示すことができる、これらの構成のうちの１つを使用することができる。行指数またはＰＭＩに必要とされる信号伝達を限定するために、異なる表または異なる複数組のプリコーディング行列を、各番号の通常のＣＳＩ−ＲＳアンテナポートに使用することができる。
【０１２８】
場合によっては、表またはプリコーディング行列セットは、特定の番号の通常のＣＳＩ−ＲＳアンテナポートに対して、アンテナポートマッピングおよび補足ＣＳＩ−ＲＳポートの番号の両方を示し得る。表４および表５は、補足ＣＳＩ−ＲＳアンテナポートへの４個および８個の通常のＣＳＩ−ＲＳアンテナポートのマッピングに対する可能なマッピング例の表を図示する。実施例では、通常のＣＳＩ−ＲＳアンテナポートの線形または他の組み合わせが、補足ＣＳＩ−ＲＳアンテナポートを形成するために使用され得る。これらの場合において、補足ＣＳＩ−ＲＳアンテナポートの番号ならびにマッピングルールは、表の行指数を特定することによって示され得る。
【０１２９】
【表４】
2013519337.tif 000006
【０１３０】
【表５】
2013519337.tif 000007
場合によっては、各表に対する行指数の数（各番号の通常のＣＳＩ−ＲＳアンテナポートに対する表がある場合）は同じであり得る。これは、通常のＣＳＩ−ＲＳアンテナポートの数にかかわらず、補足ＣＳＩ−ＲＳポートに対する行指数の指示およびポートマッピングが一定となることを可能にし得る。
【０１３１】
説明されるように、通常および補足ＣＳＩ−ＲＳの両方を使用するＵＥは、通常のＣＳＩ−ＲＳのみを使用するＵＥよりも、通常アンテナポートおよび補足アンテナポートのセットに含まれるアンテナポート上に頻繁なＣＳＩを有し得る。通常および補足ＣＳＩ−ＲＳの両方を使用するＵＥは、補足ＣＳＩ−ＲＳアンテナポートの空間配向に適正に合致するように、通常のＣＳＩ−ＲＳアンテナポートから取得される測定に線形操作を行う必要があり得る。補足ＣＳＩ−ＲＳポートを使用するＵＥは、補足ＣＳＩ−ＲＳアンテナポートの形式に従ってチャネル情報をフィードバックするように構成され得る。
【０１３２】
上記で説明されるようなＰＤＳＣＨ  ＲＥミューティングは、通常のＣＳＩ−ＲＳサブフレーム／ＲＢに使用され得る。代替として、短期的チャネル条件に基づくＣｏＭＰ動作が高速モバイルにサポートされない場合があるため、隣接セルからの補足ＣＳＩ−ＲＳに対応するＰＤＳＣＨ  ＲＥはミュートされない。これらの場合において、通常のＣＳＩ−ＲＳと比較した補足ＣＳＩ−ＲＳに関連付けられる相対的オーバーヘッドは小さい。
【０１３３】
アンテナポートまたは仮想アンテナストリームあたりのＲＢあたりのＲＥの数は、ＣＳＩの信頼性に対する異なる制約により、通常のＣＳＩ−ＲＳおよび補足ＣＳＩ−ＲＳに対して異なり得る。同様に、補足ＣＳＩ−ＲＳサブフレームの周期性は、可変であり得る。場合によっては、補足ＣＳＩ−ＲＳ形式等の補足ＣＳＩ−ＲＳを使用した適正な動作のためにＵＥによって必要とされる、付加的なパラメータが存在し得る。補足ＣＳＩ−ＲＳのパラメータおよび周期性は、放送方式でＳＩＢにおいて示されるか、あるいは必要に応じてユニキャストまたはマルチキャスト方式でＵＥに送信され得る。
【０１３４】
図１９は、ＵＥ１０の実施形態を含む、無線通信シスムを例証する。ＵＥ１０は、本開示の側面を実装するために動作可能であるが、本開示は、これらの実装に限定されるべきではない。携帯電話として図示されているが、ＵＥ１０は、無線ハンドセット、ポケットベル、携帯情報端末（ＰＤＡ）、携帯用コンピュータ、タブレットコンピュータ、ラップトップコンピュータを含む、種々の形態を成し得る。多くの好適なデバイスは、これらの機能のうちのいくつかはまた全てを組み合わせる。本開示のいくつかの実施形態では、ＵＥ１０は、携帯用、ラップトップ、またはタブレットコンピュータのような汎用コンピュータデバイスではなく、むしろ、携帯電話、無線ハンドセット、ポケットベル、ＰＤＡ、または車両内に搭載される電気通信デバイス等の特殊用途通信デバイスである。また、ＵＥ１０は、デスクトップコンピュータ、セットトップボックス、またはネットワークノード等、同様の能力を有するが運搬可能ではないデバイスであり、デバイスを含み、あるいはデバイス内に含められ得る。ＵＥ１０は、ゲーム、在庫管理、ジョブ制御、および／またはタスク管理機能等、特殊活動をサポートし得る。
【０１３５】
ＵＥ１０は、ディスプレイ７０２を含む。ＵＥ１０はまた、ユーザによる入力のために、概して、７０４と称される、タッチセンサ式表面、キーボード、または他の入力キーも含む。キーボードは、ＱＷＥＲＴＹ、Ｄｖｏｒａｋ、ＡＺＥＲＴＹ、および逐次タイプ等の完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。ＵＥ１０は、ユーザが選択するためのオプション、ユーザが作動させるための制御、および／またはユーザが指図するためのカーソルあるいは他の指標を提示し得る。
【０１３６】
ＵＥ１０はさらに、ダイヤルするための番号またはＵＥ１０の動作を構成するためのダイヤルする番号または種々のパラメータ値を含む、ユーザからのデータ入力を受容し得る。ＵＥ１０はさらに、ユーザコマンドに応答して、１つ以上のソフトウェアまたはファームウェアアプリケーションを実行し得る。これらのアプリケーションは、ユーザ対話に応じて、種々のカスタマイズされた機能を果たすようにＵＥ１０を構成し得る。加えて、ＵＥ１０は、例えば、無線基地局、無線アクセスポイント、またはピアＵＥ１０から、無線でプログラムおよび／または構成され得る。
【０１３７】
ＵＥ１０によって実行可能な種々のアプリケーションの中には、ディスプレイ７０２がウェブページを表示することを可能にするウェブブラウザがある。ウェブページは、無線ネットワークアクセスノード、携帯電話の基地局、ピアＵＥ１０、または任意の他の無線通信ネットワークあるいはシステム７００との無線通信を介して、取得され得る。ネットワーク７００は、インターネット等の有線ネットワーク７０８に連結される。無線リンクおよび有線ネットワークを介して、ＵＥ１０は、サーバ７１０等の種々のサーバ上の情報にアクセスできる。サーバ７１０は、ディスプレイ７０２上に示され得る、コンテンツを提供し得る。代替として、ＵＥ１０は、中継型またはホップ型の接続で、中間物の役割を果たすピアＵＥ１０を通してネットワーク７００にアクセスし得る。
【０１３８】
図２０は、ＵＥ１０のブロック図を示す。ＵＥ１１０の種々の周知の構成要素が描写されるが、ある実施形態では、列挙された構成要素および／または列挙されていない付加的構成要素のサブセットが、ＵＥ１０内に含まれ得る。ＵＥ１０は、デジタル信号プロセッサ（ＤＳＰ）８０２と、メモリ８０４とを含む。示されるように、ＵＥ１０はさらに、アンテナおよびフロントエンドユニット８０６と、無線周波数（ＲＦ）送受信機８０８と、アナログベースバンド処理ユニット８１０と、マイクロホン８１２と、イヤホンスピーカ８１４と、ヘッドセットポート８１６と、入力／出力インターフェース８１８と、可撤性メモリカード８２０と、ユニバーサルシリアルバス（ＵＳＢ）ポート８２２と、短距離無線通信サブシステム８２４と、アラート８２６と、キーパッド８２８と、タッチセンサ式表面を含み得る液晶ディスプレイ（ＬＣＤ）８３０と、ＬＣＤコントローラ８３２と、電荷結合素子（ＣＣＤ）カメラ８３４と、カメラコントローラ８３６と、グローバルポジショニングシステム（ＧＰＳ）センサ８３８とを含み得る。ある実施形態では、ＵＥ１０は、タッチセンサ式画面を提供しない、別の種類のディスプレイを含み得る。ある実施形態では、ＤＳＰ８０２は、入力／出力インターフェース８１８を通過せずに、メモリ８０４と直接通信し得る。
【０１３９】
ＤＳＰ８０２または何らかの他の形態のコントローラあるいは中央処理ユニットは、メモリ８０４に記憶された、またはＤＳＰ８０２自体内に含まれるメモリに記憶された、組み込みソフトウェアまたはファームウェアに従って、ＵＥ１０の種々の構成要素を制御するように動作する。組み込みソフトウェアまたはファームウェアに加えて、ＤＳＰ８０２は、メモリ８０４に記憶された、または、可撤性メモリカード８２０のような携帯用データ記憶媒体等の情報搬送波媒体を介して、あるいは有線または無線ネットワーク通信を介して利用可能となる、他のアプリケーションを実行し得る。アプリケーションソフトウェアは、所望の機能性を提供するようにＤＳＰ８０２を構成する、コンパイルされた機械可読命令のセットを備えてもよく、または、アプリケーションソフトウェアは、ＤＳＰ８０２を間接的に構成するようにインタープリタまたはコンパイラによって処理される、高次ソフトウェア命令であり得る。
【０１４０】
アンテナおよびフロントエンドユニット８０６は、無線信号と電気信号との間で変換するように提供され、ＵＥ１０が、セルラーネットワークまたは何らかの他の利用可能な無線通信ネットワークから、あるいはピアＵＥ１０から、情報を送受信することを可能にする。ある実施形態では、アンテナおよびフロントエンドユニット８０６は、複数のアンテナを含み、ビーム形成および／または多重入出力（ＭＩＭＯ）動作をサポートし得る。当業者に周知であるように、ＭＩＭＯ動作は、困難なチャネル条件を克服する、および／またはチャネルスループットを増加させるために使用することができる、空間的多様性を提供し得る。アンテナおよびフロントエンドユニット８０６は、アンテナ同調および／またはインピーダンス整合構成要素、ＲＦ電力増幅器、および／または低雑音増幅器を含み得る。
【０１４１】
ＲＦ送受信機８０８は、周波数偏移を提供し、受信したＲＦ信号をベースバンドに変換し、ベースバンド伝送信号をＲＦに変換する。いくつかの説明では、無線送受信機またはＲＦ送受信機は、変調／復調、符号化／復号化、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等、他の信号処理機能性を含むと理解され得る。簡単にする目的で、ここでの説明は、ＲＦおよび／または無線段階から、この信号処理の説明を分離し、その信号処理を、アナログベースバンド処理ユニット８１０および／またはＤＳＰ８０２あるいは他の中央処理ユニットに概念的に割り当てる。いくつかの実施形態では、ＲＦ送受信機８０８、アンテナおよびフロントエンド８０６の複数部分、およびアナログベースバンド処理ユニット８１０が、１つ以上の処理ユニットおよび／または特定用途向け集積回路（ＡＳＩＣ）に組み入れられ得る。
【０１４２】
アナログベースバンド処理ユニット８１０は、入力および出力の種々のアナログ処理、例えば、マイクロホン８１２およびヘッドセット８１６からの入力と、イヤホン８１４およびヘッドセット８１６への出力のアナログ処理を提供し得る。この目的のために、アナログベースバンド処理ユニット８１０は、ＵＥ１０を携帯電話として使用可能にする、内蔵マイクロホン８１２およびイヤホンスピーカ８１４に接続するためのポートを有し得る。アナログベースバンド処理ユニット８１０はさらに、ヘッドセットまたは他のハンズフリーマイクロホンおよびスピーカ構成に接続するためのポートを含み得る。アナログベースバンド処理ユニット８１０は、１つの信号方向にデジタル・アナログ変換を、反対の信号方向にアナログ・デジタル変換を提供し得る。いくつかの実施形態では、アナログベースバンド処理ユニット８１０の機能性の少なくとも一部が、デジタル処理構成要素によって、例えば、ＤＳＰ８０２によって、または他の中央処理ユニットによって提供され得る。
【０１４３】
ＤＳＰ８０２は、変調／復調、符号化／復号化、インターリービング／デインターリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行い得る。ある実施形態では、例えば、符号分割多重アクセス（ＣＤＭＡ）技術用途において、送信器機能のために、ＤＳＰ８０２は、変調、符号化、インターリービング、および拡散を行ってもよく、受信機機能のために、ＤＳＰ８０２は、逆拡散、デインターリービング、復号化、および復調を行い得る。別の実施形態では、例えば、直交周波数分割多重アクセス（ＯＦＤＭＡ）技術用途において、送信器機能のために、ＤＳＰ８０２は、変調、符号化、インターリービング、逆高速フーリエ変換、および周期的接頭辞添付を行ってもよく、受信機機能のために、ＤＳＰ８０２は、周期的接頭辞除去、高速フーリエ変換、デインターリービング、復号化、および復調を行い得る。他の無線技術用途では、さらに他の信号処理機能、および信号処理機能の組み合わせが、ＤＳＰ８０２によって行われ得る。
【０１４４】
ＤＳＰ８０２は、アナログベースバンド処理ユニット８１０を介して、無線ネットワークと通信し得る。いくつかの実施形態では、通信は、インターネット接続を提供し、ユーザがインターネット上のコンテンツへのアクセスを獲得すること、および電子メールまたはテキストメッセージを送受信することを可能にし得る。入力／出力インターフェース８１８は、ＤＳＰ８０２ならびに種々のメモリおよびインターフェースを相互接続する。メモリ８０４および可撤性メモリカード８２０は、ＤＳＰ８０２の動作を構成するようにソフトウェアおよびデータを提供し得る。インターフェース間には、ＵＳＢインターフェース８２２および短距離無線通信サブシステム８２４があり得る。ＵＳＢインターフェース８２２は、ＵＥ１０を充電するために使用されてもよく、また、ＵＥ１０が周辺デバイスとして機能し、パーソナルコンピュータまたは他のコンピュータシステムと情報を交換することを可能にし得る。短距離無線通信サブシステム８２４は、赤外線ポート、Ｂｌｕｅｔｏｏｔｈ（登録商標）インターフェース、ＩＥＥＥ  ８０２．１１準拠無線インターフェース、またはＵＥ１０が他の近くのモバイルデバイスおよび／または無線基地局と無線通信することを可能にし得る、任意の他の短距離無線通信サブシステムを含み得る。
【０１４５】
入力／出力インターフェース８１８はさらに、トリガされると、例えば、ベルを鳴らす、メロディを再生する、または振動することによって、ＵＥ１０にユーザへ通知を提供させる、アラート８２６にＤＳＰ８０２を接続し得る。アラート８２６は、無音で振動することによって、または特定の発呼者に対して特定の事前に割り当てられたメロディを再生することによって、着信電話、新しいテキストメッセージ、および予約のリマインダ等の種々の事象のうちのいずれかをユーザに警告するための機構としての機能を果たし得る。
【０１４６】
キーパッド８２８は、インターフェース８１８を介してＤＳＰ８０２に連結し、ユーザが、選択を行う、情報を入力する、および別様にＵＥ１０に入力を提供するための１つの機能を提供する。キーパッド８２８は、ＱＷＥＲＴＹ、Ｄｖｏｒａｋ、ＡＺＥＲＴＹ、および逐次タイプ等の完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。別の入力機構は、タッチスクリーン能力を含み、また、ユーザにテキストおよび／またはグラフィックを表示し得る、ＬＣＤ８３０であり得る。ＬＣＤコントローラ８３２は、ＤＳＰ８０２をＬＣＤ８３０に連結する。
【０１４７】
ＣＣＤカメラ８３４は、装備された場合、ＵＥ１０がデジタル写真を撮ることを可能にする。ＤＳＰ８０２は、カメラコントローラ８３６を介して、ＣＣＤカメラ８３４と通信する。別の実施形態では、電荷結合素子カメラ以外の技術に従って動作するカメラが採用され得る。ＧＰＳセンサ８３８は、グローバルポジショニングシステム信号を復号するようにＤＳＰ８０２に連結され、それによって、ＵＥ１０がその位置を決定することを可能にする。また、種々の他の周辺機器が、付加的な機能、例えば、ラジオおよびテレビ受信を提供するように含まれ得る。
【０１４８】
図２１は、ＤＳＰ８０２によって実装され得る、ソフトウェア環境９０２を例証する。ＤＳＰ８０２は、ソフトウェアの残りが動作する、プラットフォームを提供する、オペレーティングシステムドライバ９０４を実行する。オペレーティングシステムドライバ９０４は、ＵＥハードウェアのためのドライバに、アプリケーションソフトウェアにアクセス可能な標準インターフェースを提供する。オペレーティングシステムドライバ９０４は、ＵＥ１０上で作動するアプリケーション間で制御を転送する、アプリケーション管理サービス（「ＡＭＳ」）９０６を含む。図２１には、ブラウザアプリケーション９０８、メディアプレーヤアプリケーション９１０、およびＪａｖａ（登録商標）アプレット９１２も示されている。ウェブブラウザアプリケーション９０８は、ウェブブラウザとして動作するようにＵＥ１０を構成し、ユーザが書式に情報を入力し、ウェブページを読み出して閲覧するようにリンクを選択することを可能にする。メディアプレーヤアプリケーション９１０は、音声または視聴覚媒体を読み出し、再生するようにＵＥ１０を構成する。Ｊａｖａ（登録商標）アプレット９１２は、ゲーム、ユーティリティ、および他の機能性を提供するようにＵＥ１０を構成する。構成要素９１４は、本明細書で説明される機能性を提供する場合がある。
【０１４９】
ＵＥ１０、基地局１２０、および上記で説明される他の構成要素は、上記で説明される動作に関係する命令を実行することが可能な処理構成要素を含む場合がある。図２２は、本明細書で開示される１つ以上の実施形態に対して好適である処理構成要素１０１０を含む、システム１０００の実施例を図示する。プロセッサ１０１０（中央プロセッサユニット（ＣＰＵまたはＤＳＰ）と呼ばれ得る）に加えて、システム１０００は、ネットワーク接続デバイス１０２０、ランダムアクセスメモリ（ＲＡＭ）１０３０、読み出し専用メモリ（ＲＯＭ）１０４０、二次記憶装置１０５０、および入出力（Ｉ／Ｏ）デバイス１０６０を含む場合がある。場合によっては、これらの構成要素のうちのいくつかは、存在しなくてもよく、あるいは相互と、または示されていない他の構成要素と、種々の組み合わせで組み合わせられ得る。これらの構成要素は、単一の物理的エンティティの中、または１つより多くの物理的エンティティの中に位置する場合がある。プロセッサ１０１０によって講じられるものとして本明細書で説明される措置は、プロセッサ１０１０単独によって、あるいは図面に示されている、または示されていない１つ以上の構成要素と併せてプロセッサ１０１０によって講じられ得る。
【０１５０】
プロセッサ１０１０は、それがネットワーク接続デバイス１０２０、ＲＡＭ１０３０、ＲＯＭ１０４０、または二次記憶装置１０５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１０１０のみが示されているが、複数のプロセッサが存在し得る。したがって、命令は、プロセッサによって実行されるものとして論議され得るが、命令は、同時に、順次、あるいは別様に１つまたは複数のプロセッサによって実行され得る。プロセッサ１０１０は、１つ以上のＣＰＵチップとして実装され得る。
【０１５１】
ネットワーク接続デバイス１０２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成し得る。これらのネットワーク接続性デバイス１０２０によって、プロセッサ１０１０が情報を受信する場合があるか、またはプロセッサ１０１０が情報を出力する場合がある、インターネット、あるいは１つ以上の電気無線通信ネットワークまたは他のネットワークと、プロセッサ１０１０が通信することを可能にし得る。
【０１５２】
ネットワーク接続デバイス１０２０はまた、無線周波数信号またはマイクロ波周波数信号等の電磁波の形態で、データを無線で伝送および／または受信することが可能な１つ以上の送受信機構成要素１０２５も含む場合がある。代替として、データは、導電体の表面内または上、同軸ケーブル内、導波管内、光ファイバ等の光媒体内、あるいは他の媒体内を伝播し得る。送受信機構成要素１０２５は、別々の受信および送信ユニット、または単一の送受信機を含み得る。送受信機１０２５によって伝送または受信される情報は、プロセッサ１０１０によって処理されているデータまたはプロセッサ１０１０によって実行される命令を含み得る。そのような情報は、例えば、コンピュータデータベースバンド信号または搬送波で具現化される信号の形態で、ネットワークから受信され、ネットワークに出力され得る。データは、データを処理または生成するため、あるいはデータを伝送または受信するために望ましくてもよい、異なるシーケンスに従って順序付けられ得る。ベースバンド信号、搬送波に統合される信号、あるいは現在使用されている、または今後開発される他の種類の信号は、伝送媒体と称されてもよく、当業者に周知のいくつかの方法に従って生成され得る。
【０１５３】
ＲＡＭ１０３０は、揮発性データを記憶するため、およびおそらくプロセッサ１０１０によって実行される命令を記憶するために使用される場合がある。ＲＯＭ１０４０は、典型的には二次記憶装置１０５０のメモリ容量よりも小さいメモリ容量を有する、不揮発性メモリデバイスである。ＲＯＭ１０４０は、命令、およびおそらく命令の実行中に読み取られるデータを記憶するために使用される場合がある。ＲＡＭ１０３０およびＲＯＭ１０４０の両方へのアクセスは、定型的には、二次記憶装置１０５０より速い。二次記憶装置１０５０は、典型的には、１つ以上のディスクドライブまたはテープドライブから成り、ＲＡＭ１０３０が全ての作業用データを保持するのに十分大きくない場合、データの不揮発性保存用に、またはオーバーフローデータ記憶デバイスとして使用される場合がある。二次記憶装置１０５０は、プログラムが実行用に選択される時、ＲＡＭ１０３０へロードされる、そのようなプログラムを記憶するために使用され得る。
【０１５４】
Ｉ／Ｏデバイス１０６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含み得る。また、送受信機１０２５は、ネットワーク接続デバイス１０２０の構成要素である代わりに、またはそれに加えて、Ｉ／Ｏデバイス１０６０の構成要素であると見なされる場合がある。Ｉ／Ｏデバイス１０６０のうちのいくつかまたは全ては、ディスプレイ７０２および入力７０４等のＵＥ１０の前述の図面に描写される種々の構成要素と実質的に同様であり得る。
【０１５５】
いくつかの実施形態が、本開示で提供されているが、開示されたシステムおよび方法が、本開示の精神または範囲から逸脱することなく、多くの他の特定の形態で具現化され得ることを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【０１５６】
また、個別または別々のものとして種々の実施形態において説明および例証される技法、システム、サブシステム、および方法を、本開示の範囲から逸脱することなく、他のシステム、モジュール、技法、または方法に組み入れるか、または一体化し得る。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信し得る。変更、置換、および改変の他の例は、当業者により解明可能であり、本明細書で開示される精神および範囲から逸脱することなく行うことができる。
【０１５７】
本発明の範囲を公に周知させるため、以下の請求項の範囲が主張される。
【図１】
2013519337.tif 000008
【図２】
2013519337.tif 000009
【図３】
2013519337.tif 000010
【図４】
2013519337.tif 000011
【図５】
2013519337.tif 000012
【図６】
2013519337.tif 000013
【図７Ａ】
2013519337.tif 000014
【図７Ｂ】
2013519337.tif 000015
【図７Ｃ】
2013519337.tif 000016
【図８】
2013519337.tif 000017
【図９Ａ】
2013519337.tif 000018
【図９Ｂ】
2013519337.tif 000019
【図１０Ａ】
2013519337.tif 000020
【図１０Ｂ】
2013519337.tif 000021
【図１０Ｃ】
2013519337.tif 000022
【図１１】
2013519337.tif 000023
【図１２】
2013519337.tif 000024
【図１３】
2013519337.tif 000025
【図１４】
2013519337.tif 000026
【図１５】
2013519337.tif 000027
【図１６】
2013519337.tif 000028
【図１７】
2013519337.tif 000029
【図１８】
2013519337.tif 000030
【図１９】
2013519337.tif 000031
【図２０】
2013519337.tif 000032
【図２１】
2013519337.tif 000033
【図２２】
2013519337.tif 000034
【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
チャネル状態情報参照信号（ＣＳＩ−ＲＳ）を復号する方法であって、
第１のセルによるＣＳＩ−ＲＳの伝送に対して割り付けられるリソース要素（ＲＥ）構成の指示を受信するステップであって、前記指示は、第２のセルから受信される、ステップと、
前記ＲＥ構成の指示を使用し、第３のセルから受信されるデータチャネル伝送内の１つ以上のＲＥをミュートするステップと
を含み、
前記ＲＥ構成の指示は、増分値を有する複数の論理指数を含み、前記複数の論理指数は、ＣＳＩ−ＲＳを伝送するために使用されるＲＥを識別する、
方法。
【請求項２】
前記ＲＥ構成の指示は、ＣＳＩ−ＲＳの構築において使用されるホッピングシーケンスを含む、請求項１に記載の方法。
【請求項３】
前記ホッピングシーケンスは、前記第１のセルに関連付けられた識別（ＩＤ）によって少なくとも部分的に決定される、請求項２に記載の方法。
【請求項４】
前記ＲＥ構成の指示は、無線リソース制御（ＲＲＣ）信号伝達内に含まれる、請求項１に記載の方法。
【請求項５】
前記第１のセルは、隣接セルであり、前記第２のセルは、サービングセルである、請求項１に記載の方法。
【請求項６】
前記第３のセルおよび前記第２のセルは、同じセルである、請求項１に記載の方法。
【請求項７】
チャネル状態情報参照信号（ＣＳＩ−ＲＳ）をユーザ機器（ＵＥ）に伝送する方法であって、
第１の組の干渉隣接セルからの干渉を体験している少なくとも１つのＵＥのための第１のリソースブロック（ＲＢ）構成を提供するステップと、
第２の組の干渉隣接セルからの干渉を体験している少なくとも１つのＵＥのための第２のＲＢ構成を提供するステップと、
第１のＵＥから測定レポートを受信するステップであって、前記測定レポートは、前記第１のＵＥに対する一組の干渉隣接セルを識別する、ステップと、
前記第１のＵＥに対する前記一組の干渉隣接セルが、前記第１の組の干渉隣接セル内に含まれている場合、前記第１のＲＢ構成を前記第１のＵＥに伝送するステップと、
前記第１のＵＥに対する前記一組の干渉隣接セルが、前記第２の組の干渉隣接セル内に含まれている場合、前記第２のＲＢ構成を前記第１のＵＥに伝送するステップと
を含む、方法。
【請求項８】
前記第１の組の干渉隣接セルおよび前記第２の組の干渉隣接セルのうちの少なくとも１つは空である、請求項７に記載の方法。
【請求項９】
前記第１の組の干渉セルおよび前記第２の組の干渉セルは、相互排他的である、請求項７に記載の方法。
【請求項１０】
前記第１のＲＢ構成および前記第２のＲＢ構成のうちの少なくとも１つは、ＣＳＩ−ＲＳ伝送のための出力増大レベルを識別する、請求項７に記載の方法。
【請求項１１】
前記第１のＲＢ構成および前記第２のＲＢ構成のうちの少なくとも１つは、一群のＲＢの識別を含む、請求項７に記載の方法。
【請求項１２】
前記第１のＲＢ構成および前記第２のＲＢ構成のうちの少なくとも１つは、リソース要素（ＲＥ）構成の指示を含む、請求項７に記載の方法。
【請求項１３】
前記第１のＲＢ構成および前記第２のＲＢ構成のうちの少なくとも１つは、少なくとも１つの干渉隣接セルを識別する、請求項７に記載の方法。
【請求項１４】
チャネル状態情報参照信号（ＣＳＩ−ＲＳ）を受信する方法であって、
測定レポートを第１のセルに伝送するステップであって、前記測定レポートは、ユーザ機器（ＵＥ）に対する一組の干渉隣接セルを識別する、ステップと、
前記第１のセルからリソースブロック（ＲＢ）構成を受信するステップと、
干渉セルから受信されるＣＳＩ−ＲＳを復号すること、および、第２の干渉セルから受信されるデータチャネル伝送内の少なくとも１つのリソース要素（ＲＥ）をミュートすることのうちの少なくとも１つを行うために、前記ＲＢ構成を使用するステップと
を含む、方法。
【請求項１５】
前記ＲＢ構成は、リソース要素（ＲＥ）構成の指示を含む、請求項１４に記載の方法。
【請求項１６】
前記ＲＢ構成は、一群のＲＢの識別を含む、請求項１４に記載の方法。
【請求項１７】
前記ＲＢ構成は、少なくとも１つの干渉隣接セルを識別する、請求項１４に記載の方法。
【請求項１８】
前記ＲＢ構成は、リソース要素（ＲＥ）構成の指示を含む、請求項１４に記載の方法。
【請求項１９】
ユーザ機器（ＵＥ）であって、
プロセッサを備え、前記プロセッサは、
第１のセルによるＣＳＩ−ＲＳの伝送に対して割り付けられるリソース要素（ＲＥ）構成の指示を受信することであって、前記指示は、第２のセルから受信される、ことと、
前記ＲＥ構成の指示を使用し、第３のセルから受信されるデータチャネル伝送内の１つ以上のＲＥをミュートすることと
を行うように構成され、
前記ＲＥ構成の指示は、増分値を有する複数の論理指数を含み、前記複数の論理指数は、ＣＳＩ−ＲＳを伝送するために使用されるＲＥを識別する、
ユーザ機器（ＵＥ）。
【請求項２０】
前記ＲＥ構成の指示は、ＣＳＩ−ＲＳの構築において使用されるホッピングシーケンスを含む、請求項１９に記載のＵＥ。
【請求項２１】
前記ホッピングシーケンスは、前記第１のセルに関連付けられた識別（ＩＤ）によって少なくとも部分的に決定される、請求項２０に記載のＵＥ。
【請求項２２】
前記ＲＥ構成の指示は、無線リソース制御（ＲＲＣ）信号伝達内に含まれる、請求項１９に記載のＵＥ。
【請求項２３】
基地局であって、
プロセッサを備え、前記プロセッサは、
第１の組の干渉隣接セルからの干渉を体験している少なくとも１つのＵＥのための第１のリソースブロック（ＲＢ）構成を識別することと、
第２の組の干渉隣接セルからの干渉を体験している少なくとも１つのＵＥのための第２のＲＢ構成を識別することと、
第１のＵＥから測定レポートを受信することであって、前記測定レポートは、前記第１のＵＥに対する一組の干渉隣接セルを識別する、ことと、
前記第１のＵＥに対する前記一組の干渉隣接セルが、前記第１の組の干渉隣接セル内に含まれている場合、前記第１のＲＢ構成を前記第１のＵＥに伝送することと、
前記第１のＵＥに対する前記一組の干渉隣接セルが、前記第２の組の干渉隣接セル内に含まれている場合、前記第２のＲＢ構成を前記第１のＵＥに伝送することと
を行うように構成されている、基地局。
【請求項２４】
前記第１のＲＢ構成および前記第２のＲＢ構成のうちの少なくとも１つは、一群のＲＢの識別を含む、請求項２３に記載の基地局。
【請求項２５】
前記第１のＲＢ構成および前記第２のＲＢ構成のうちの少なくとも１つは、リソース要素（ＲＥ）構成の指示を含む、請求項２３に記載の基地局。
【請求項２６】
前記第１のＲＢ構成および前記第２のＲＢ構成のうちの少なくとも１つは、少なくとも１つの干渉隣接セルを識別する、請求項２３に記載の基地局。
【請求項２７】
チャネル状態情報参照信号（ＣＳＩ−ＲＳ）を復号する方法であって、
第１のセルによるＣＳＩ−ＲＳの伝送に対して割り付けられるリソース要素（ＲＥ）構成の指示を受信するステップであって、前記指示は、第２のセルから受信される、ステップと、
前記ＲＥ構成の指示を使用し、前記第１のセルから受信される第１のＣＳＩ−ＲＳを復号するステップ、および、前記ＲＥ構成の指示を使用し、第３のセルから受信されるデータチャネル伝送内の１つ以上のＲＥをミュートするステップのうちの少なくとも１つのステップと
を含み、
少なくとも、前記第１のセル、前記第２のセル、および前記第３のセルが、ＣＳＩ−ＲＳグループ内で関連付けられているか、前記第１のセル、前記第２のセル、および前記第３のセルのうちの少なくとも２つが、相互に干渉するセルである、
方法。
【請求項２８】
前記第１のセル、前記第２のセル、および前記第３のセルのうちの少なくとも１つは、マイクロセルであり、前記第１のセル、前記第２のセル、および前記第３のセルのうちの少なくとも１つは、マクロセルである、請求項２７に記載の方法。
【手続補正２】
【補正対象書類名】明細書
【補正対象項目名】００２９
【補正方法】変更
【補正の内容】
【００２９】
次いで、上述および関連の目的を達成するために、本発明は、以降で完全に説明される特徴を備える。以下の説明および付随の図面は、本発明の詳細なある例証的側面を説明する。しかしながら、これらの側面は、本開示の原理を採用することができる、種々の方法のうちのいくつかを示すにすぎない。本開示の他の側面、利点、および新規特徴は、図面と併せて考慮されると、以下の本開示の発明を実施するための形態から明白となるであろう。
例えば、本願発明は以下を提供する。
（項目１）
チャネル状態情報参照信号（ＣＳＩ−ＲＳ）を復号する方法であって、
第１のセルによるＣＳＩ−ＲＳの伝送に対して割り付けられるリソース要素（ＲＥ）構成の指示を受信するステップであって、前記指示は、第２のセルから受信される、ステップと、
前記ＲＥ構成の指示を使用し、前記第１のセルから受信される第１のＣＳＩ−ＲＳを復号するステップ、および、前記ＲＥ構成の指示を使用し、第３のセルから受信されるデータチャネル伝送内の１つ以上のＲＥをミュートするステップのうちの少なくとも１つのステップと
を含み、
少なくとも、前記第１のセル、前記第２のセル、および前記第３のセルが、ＣＳＩ−ＲＳグループ内で関連付けられているか、前記第１のセル、前記第２のセル、および前記第３のセルのうちの少なくとも２つが、相互に干渉するセルである、
方法。
（項目２）
前記ＲＥ構成の指示は、増分値を有する複数の論理指数を含み、前記複数の論理指数は、ＣＳＩ−ＲＳを伝送するために使用されるＲＥを識別する、項目１に記載の方法。
（項目３）
前記ＲＥ構成の指示は、ＣＳＩ−ＲＳの構築において使用されるホッピングシーケンスを含む、項目１に記載の方法。
（項目４）
前記ホッピングシーケンスは、前記第１のセルに関連付けられた識別（ＩＤ）によって少なくとも部分的に決定される、項目３に記載の方法。
（項目５）
前記ＲＥ構成の指示は、無線リソース制御（ＲＲＣ）信号伝達内に含まれる、項目１に記載の方法。
（項目６）
前記第１のセルは、隣接セルであり、前記第２のセルは、サービングセルである、項目１に記載の方法。
（項目７）
前記第３のセルおよび前記第２のセルは、同じセルである、項目１に記載の方法。
（項目８）
チャネル状態情報参照信号（ＣＳＩ−ＲＳ）をユーザ機器（ＵＥ）に伝送する方法であって、
第１の組の干渉隣接セルからの干渉を体験している少なくとも１つのＵＥのための第１のリソースブロック（ＲＢ）構成を提供するステップと、
第２の組の干渉隣接セルからの干渉を体験している少なくとも１つのＵＥのための第２のＲＢ構成を提供するステップと、
第１のＵＥから測定レポートを受信するステップであって、前記測定レポートは、前記第１のＵＥに対する一組の干渉隣接セルを識別する、ステップと、
前記第１のＵＥに対する前記一組の干渉隣接セルが、前記第１の組の干渉隣接セル内に含まれている場合、前記第１のＲＢ構成を前記第１のＵＥに伝送するステップと、
前記第１のＵＥに対する前記一組の干渉隣接セルが、前記第２の組の干渉隣接セル内に含まれている場合、前記第２のＲＢ構成を前記第１のＵＥに伝送するステップと
を含む、方法。
（項目９）
前記第１の組の干渉隣接セルおよび前記第２の組の干渉隣接セルのうちの少なくとも１つは空である、項目８に記載の方法。
（項目１０）
前記第１の組の干渉セルおよび前記第２の組の干渉セルは、相互排他的である、項目８に記載の方法。
（項目１１）
前記第１のＲＢ構成および前記第２のＲＢ構成のうちの少なくとも１つは、ＣＳＩ−ＲＳ伝送のための出力増大レベルを識別する、項目８に記載の方法。
（項目１２）
前記第１のＲＢ構成および前記第２のＲＢ構成のうちの少なくとも１つは、一群のＲＢの識別を含む、項目８に記載の方法。
（項目１３）
前記第１のＲＢ構成および前記第２のＲＢ構成のうちの少なくとも１つは、リソース要素（ＲＥ）構成の指示を含む、項目８に記載の方法。
（項目１４）
前記第１のＲＢ構成および前記第２のＲＢ構成のうちの少なくとも１つは、少なくとも１つの干渉隣接セルを識別する、項目８に記載の方法。
（項目１５）
チャネル状態情報参照信号（ＣＳＩ−ＲＳ）を受信する方法であって、
測定レポートを第１のセルに伝送するステップであって、前記測定レポートは、ユーザ機器（ＵＥ）に対する一組の干渉隣接セルを識別する、ステップと、
前記第１のセルからリソースブロック（ＲＢ）構成を受信するステップと、
干渉セルから受信されるＣＳＩ−ＲＳを復号すること、および、第２の干渉セルから受信されるデータチャネル伝送内の少なくとも１つのリソース要素（ＲＥ）をミュートすることのうちの少なくとも１つを行うために、前記ＲＢ構成を使用するステップと
を含む、方法。
（項目１６）
前記ＲＢ構成は、リソース要素（ＲＥ）構成の指示を含む、項目１５に記載の方法。
（項目１７）
前記ＲＢ構成は、一群のＲＢの識別を含む、項目１５に記載の方法。
（項目１８）
前記ＲＢ構成は、少なくとも１つの干渉隣接セルを識別する、項目１５に記載の方法。
（項目１９）
前記ＲＢ構成は、リソース要素（ＲＥ）構成の指示を含む、項目１５に記載の方法。
（項目２０）
ユーザ機器（ＵＥ）であって、
プロセッサを備え、前記プロセッサは、
第１のセルによるＣＳＩ−ＲＳの伝送に対して割り付けられるリソース要素（ＲＥ）構成の指示を受信することであって、前記指示は、第２のセルから受信される、ことと、
前記ＲＥ構成の指示を使用し、前記第１のセルから受信される第１のＣＳＩ−ＲＳを復号すること、および、前記ＲＥ構成の指示を使用し、第３のセルから受信されるデータチャネル伝送内の１つ以上のＲＥをミュートすることのうちの少なくとも１つと
を行うように構成され、
少なくとも、前記第１のセル、前記第２のセル、および前記第３のセルが、ＣＳＩ−ＲＳグループ内で関連付けられているか、前記第１のセル、前記第２のセル、および前記第３のセルのうちの少なくとも２つが、相互に干渉するセルである、
ユーザ機器（ＵＥ）。
（項目２１）
前記ＲＥ構成の指示は、増分値を有する複数の論理指数を含み、前記複数の論理指数は、ＣＳＩ−ＲＳを伝送するために使用されるＲＥを識別する、項目２０に記載のＵＥ。
（項目２２）
前記ＲＥ構成の指示は、ＣＳＩ−ＲＳの構築において使用されるホッピングシーケンスを含む、項目２０に記載のＵＥ。
（項目２３）
前記ホッピングシーケンスは、前記第１のセルに関連付けられた識別（ＩＤ）によって少なくとも部分的に決定される、項目２２に記載のＵＥ。
（項目２４）
前記ＲＥ構成の指示は、無線リソース制御（ＲＲＣ）信号伝達内に含まれる、項目２０に記載のＵＥ。
（項目２５）
基地局であって、
プロセッサを備え、前記プロセッサは、
第１の組の干渉隣接セルからの干渉を体験している少なくとも１つのＵＥのための第１のリソースブロック（ＲＢ）構成を識別することと、
第２の組の干渉隣接セルからの干渉を体験している少なくとも１つのＵＥのための第２のＲＢ構成を識別することと、
第１のＵＥから測定レポートを受信することであって、前記測定レポートは、前記第１のＵＥに対する一組の干渉隣接セルを識別する、ことと、
前記第１のＵＥに対する前記一組の干渉隣接セルが、前記第１の組の干渉隣接セル内に含まれている場合、前記第１のＲＢ構成を前記第１のＵＥに伝送することと、
前記第１のＵＥに対する前記一組の干渉隣接セルが、前記第２の組の干渉隣接セル内に含まれている場合、前記第２のＲＢ構成を前記第１のＵＥに伝送することと
を行うように構成されている、基地局。
（項目２６）
前記第１のＲＢ構成および前記第２のＲＢ構成のうちの少なくとも１つは、一群のＲＢの識別を含む、項目２５に記載の基地局。
（項目２７）
前記第１のＲＢ構成および前記第２のＲＢ構成のうちの少なくとも１つは、リソース要素（ＲＥ）構成の指示を含む、項目２５に記載の基地局。
（項目２８）
前記第１のＲＢ構成および前記第２のＲＢ構成のうちの少なくとも１つは、少なくとも１つの干渉隣接セルを識別する、項目２５に記載の基地局。
（項目２９）
チャネル状態情報参照信号（ＣＳＩ−ＲＳ）を復号する方法であって、
第１のセルによるＣＳＩ−ＲＳの伝送に対して割り付けられるリソース要素（ＲＥ）構成の指示を受信するステップであって、前記指示は、第２のセルから受信される、ステップと、
前記ＲＥ構成の指示を使用し、前記第１のセルから受信される第１のＣＳＩ−ＲＳを復号するステップ、および、前記ＲＥ構成の指示を使用し、第３のセルから受信されるデータチャネル伝送内の１つ以上のＲＥをミュートするステップのうちの少なくとも１つのステップと
を含み、
少なくとも、前記第１のセル、前記第２のセル、および前記第３のセルが、ＣＳＩ−ＲＳグループ内で関連付けられているか、前記第１のセル、前記第２のセル、および前記第３のセルのうちの少なくとも２つが、相互に干渉するセルである、
方法。
（項目３０）
前記第１のセル、前記第２のセル、および前記第３のセルのうちの少なくとも１つは、マイクロセルであり、前記第１のセル、前記第２のセル、および前記第３のセルのうちの少なくとも１つは、マクロセルである、項目２９に記載の方法。
【国際調査報告】
2013519337.tif 000035